(57)【特許請求の範囲】
【請求項１】
一部が高電圧絶縁部材で形成された真空外囲器と、前記真空外囲器内に設けられた陽極ターゲットと、前記真空外囲器内に設けられて前記陽極ターゲットに照射する電子を放出する陰極と、前記高電圧絶縁部材から前記真空外囲器の外側に露出し、前記陽極ターゲット及び陰極の一方に電気的に接続された高電圧供給端子と、を有するＸ線管と、
開口を有し、前記Ｘ線管を収納したハウジングと、
前記Ｘ線管と前記ハウジングとの間の空間に充填された冷却液と、
一端部が前記高電圧供給端子に電気的に接続され、他端部が前記空間及び開口を通って前記ハウジングの外側に位置し、前記高電圧供給端子に高電圧を与える高電圧ケーブルと、を備え、
前記高電圧絶縁部材は、前記真空外囲器の外側に開口しているとともに前記高電圧供給端子が露出する穴部を有し、
前記高電圧ケーブルの一端部は、前記穴部を通って前記高電圧供給端子に電気的に接続され、
前記電気絶縁性部材は、前記穴部に充填され、前記電気的接続部を埋め尽くしていることを特徴とするＸ線管装置。
【請求項２】
一部が高電圧絶縁部材で形成された真空外囲器と、前記真空外囲器内に設けられた陽極ターゲットと、前記真空外囲器内に設けられて前記陽極ターゲットに照射する電子を放出する陰極と、前記高電圧絶縁部材から前記真空外囲器の外側に露出し、前記陽極ターゲット及び陰極の一方に電気的に接続された高電圧供給端子と、を有するＸ線管と、
開口を有し、前記Ｘ線管を収納したハウジングと、
前記Ｘ線管と前記ハウジングとの間の空間に充填された冷却液と、
一端部が前記高電圧供給端子に電気的に接続され、他端部が前記空間及び開口を通って前記ハウジングの外側に位置し、前記高電圧供給端子に高電圧を与える高電圧ケーブルと、
接着面を有した他の高電圧絶縁部材と、
前記他の高電圧絶縁部材の接着面を前記高電圧絶縁部材の外面に接着させる接着部材と、を備え、
前記高電圧供給端子は、前記高電圧絶縁部材から外側に露出する第１分割部と、前記他の高電圧絶縁部材に設けられ前記第１分割部に電気的に接続される第２分割部と、を有し、
前記他の高電圧絶縁部材は、前記接着面から外れた位置に開口しているとともに前記第２分割部が露出する穴部を有し、
前記高電圧ケーブルの一端部は、前記穴部を通って前記第２分割部に電気的に接続され、
前記電気絶縁性部材は、前記穴部に充填され、前記電気的接続部を埋め尽くしていることを特徴とするＸ線管装置。
【請求項３】
前記他の高電圧絶縁部材は、電気絶縁性樹脂で形成されていることを特徴とする請求項２に記載のＸ線管装置。
【請求項４】
前記他の高電圧絶縁部材は、モールド材で形成されていることを特徴とする請求項２に記載のＸ線管装置。
【請求項５】
一部が高電圧絶縁部材で形成された真空外囲器と、前記真空外囲器内に設けられた陽極ターゲットと、前記真空外囲器内に設けられて前記陽極ターゲットに照射する電子を放出する陰極と、前記高電圧絶縁部材から前記真空外囲器の外側に露出し、前記陽極ターゲット及び陰極の一方に電気的に接続された高電圧供給端子と、を有するＸ線管と、
開口を有し、前記Ｘ線管を収納したハウジングと、
前記Ｘ線管と前記ハウジングとの間の空間に充填された冷却液と、
一端部が前記高電圧供給端子に電気的に接続され、他端部が前記空間及び開口を通って前記ハウジングの外側に位置し、前記高電圧供給端子に高電圧を与える高電圧ケーブルと、
接着部材と、を備え、
前記高電圧供給端子は、前記高電圧絶縁部材から外側に露出する第１分割部と、前記第１分割部に電気的に接続される第２分割部と、を有し、
前記電気絶縁性部材は、モールド材で形成され、接着面を有し、前記第２分割部及び高電圧ケーブルの電気的接続部を埋め尽くし、前記第２分割部を外側に露出させ、
前記接着部材は、前記電気絶縁性部材の接着面を前記高電圧絶縁部材の外面に接着させていることを特徴とするＸ線管装置。
【請求項６】
一部が第１高電圧絶縁部材及び第２高電圧絶縁部材で形成された真空外囲器と、前記真空外囲器内に設けられた陽極ターゲットと、前記真空外囲器内に設けられて前記陽極ターゲットに照射する電子を放出する陰極と、前記第１高電圧絶縁部材から前記真空外囲器の外側に露出し前記陽極ターゲットに電気的に接続された第１高電圧供給端子と、前記第２高電圧絶縁部材から前記真空外囲器の外側に露出し前記陰極に電気的に接続された第２高電圧供給端子と、を有するＸ線管と、
第１開口及び第２開口を有し、前記Ｘ線管を収納したハウジングと、
前記Ｘ線管と前記ハウジングとの間の空間に充填された冷却液と、
一端部が前記第１高電圧供給端子に電気的に接続され、他端部が前記空間及び第１開口を通って前記ハウジングの外側に位置し、前記第１高電圧供給端子に高電圧を与える第１高電圧ケーブルと、
一端部が前記第２高電圧供給端子に電気的に接続され、他端部が前記空間及び第２開口を通って前記ハウジングの外側に位置し、前記第２高電圧供給端子に高電圧を与える第２高電圧ケーブルと、を備えていることを特徴とするＸ線管装置。
【発明の詳細な説明】
【技術分野】
【０００１】
本発明の実施形態は、Ｘ線管装置に関する。
【背景技術】
【０００２】
Ｘ線管装置は、医療診断機器など、多くの用途に利用されている。Ｘ線管装置は、高電圧発生装置から高電圧ケーブルを介して高電圧が供給され作動する。高電圧ケーブルの先端には高電圧コネクタとしてのプラグが設けられている。プラグは、Ｘ線管装置のハウジングに設けられたリセプタクルに電気的に接続されている。
【０００３】
高電圧コネクタは、Ｘ線管側の高電圧供給端子に電気的に接続され、高電圧絶縁部材に着脱自在に取り付けられている。高電圧コネクタ及び高電圧供給端子を介して、Ｘ線管の陰極又は陽極ターゲットに高電圧が供給される。
【０００４】
高電圧コネクタとしては、Ｘ線管の高電圧絶縁部材に圧力をかけて取り付けられる方式の高電圧コネクタが知られている。圧力を加えることにより、高電圧コネクタの電気絶縁ゴム部と、Ｘ線管の高電圧絶縁部材との間から空気層が取り除かれ、互いの表面がしっかりと密着する。この結果、密着界面に沿った放電を断つことが可能となる。
【先行技術文献】
【特許文献】
【０００５】
【特許文献１】米国特許第７００６６０２号明細書
【特許文献２】米国特許第６５５６６５４号明細書
【発明の概要】
【発明が解決しようとする課題】
【０００６】
上記のように高電圧コネクタとしてのプラグを利用する場合、リセプタクルは、高電圧ケーブルのプラグが挿入される方向に沿って十分な長さを持ち、電気絶縁性を確保する必要がある。リセプタクルは、Ｘ線管と、ハウジングとの間まで延出しているため、Ｘ線管装置の小型化を図ることができない問題がある。
【０００７】
一方、上記のように面圧式の高電圧コネクタを使用することにより、高電圧絶縁のためにリセプタクルを使用した場合に比べて、Ｘ線管装置を小型にすることができる。しかしながら、上記高電圧コネクタを利用した場合、Ｘ線管の発熱が増加すると、陰極又は陽極ターゲットから伝わってくる熱を放出する機能に限界が出てくる。すると、例えば、高電圧コネクタの電気絶縁性ゴム部が許容温度を越えて変形し、高電圧コネクタの電気絶縁性ゴム部と、Ｘ線管の高電圧絶縁部材との密着性が低下してしまう。その結果、電気絶縁性ゴム部及び高電圧絶縁部材の密着界面に沿った放電が比較的早期に発生する問題がある。
【０００８】
この発明は以上の点に鑑みなされたもので、その目的は、小型化を図ることができ、長期にわたって高い信頼性を得ることができるＸ線管装置を提供することにある。
【課題を解決するための手段】
【０００９】
一実施形態に係るＸ線管装置は、
一部が高電圧絶縁部材で形成された真空外囲器と、前記真空外囲器内に設けられた陽極ターゲットと、前記真空外囲器内に設けられて前記陽極ターゲットに照射する電子を放出する陰極と、前記高電圧絶縁部材から前記真空外囲器の外側に露出し、前記陽極ターゲット及び陰極の一方に電気的に接続された高電圧供給端子と、を有するＸ線管と、
開口を有し、前記Ｘ線管を収納したハウジングと、
前記Ｘ線管と前記ハウジングとの間の空間に充填された冷却液と、
一端部が前記高電圧供給端子に電気的に接続され、他端部が前記空間及び開口を通って前記ハウジングの外側に位置し、前記高電圧供給端子に高電圧を与える高電圧ケーブルと、を備え、
前記高電圧絶縁部材は、前記真空外囲器の外側に開口しているとともに前記高電圧供給端子が露出する穴部を有し、
前記高電圧ケーブルの一端部は、前記穴部を通って前記高電圧供給端子に電気的に接続され、
前記電気絶縁性部材は、前記穴部に充填され、前記電気的接続部を埋め尽くしていることを特徴としている。
【００１０】
また、一実施形態に係るＸ線管装置は、
一部が第１高電圧絶縁部材及び第２高電圧絶縁部材で形成された真空外囲器と、前記真空外囲器内に設けられた陽極ターゲットと、前記真空外囲器内に設けられて前記陽極ターゲットに照射する電子を放出する陰極と、前記第１高電圧絶縁部材から前記真空外囲器の外側に露出し前記陽極ターゲットに電気的に接続された第１高電圧供給端子と、前記第２高電圧絶縁部材から前記真空外囲器の外側に露出し前記陰極に電気的に接続された第２高電圧供給端子と、を有するＸ線管と、
第１開口及び第２開口を有し、前記Ｘ線管を収納したハウジングと、
前記Ｘ線管と前記ハウジングとの間の空間に充填された冷却液と、
一端部が前記第１高電圧供給端子に電気的に接続され、他端部が前記空間及び第１開口を通って前記ハウジングの外側に位置し、前記第１高電圧供給端子に高電圧を与える第１高電圧ケーブルと、
一端部が前記第２高電圧供給端子に電気的に接続され、他端部が前記空間及び第２開口を通って前記ハウジングの外側に位置し、前記第２高電圧供給端子に高電圧を与える第２高電圧ケーブルと、を備えていることを特徴としている。
【図面の簡単な説明】
【００１１】
【図１】図１は、第１の実施形態に係るＸ線装置を示す断面図である。
【図２】図２は、図１に示したＸ線装置の一部を示す分解断面図である。
【図３】図３は、第２の実施形態に係るＸ線装置を示す断面図である。
【図４】図４は、上記第２の実施形態に係るＸ線装置の変形例を示す断面図である。
【図５】図５は、第３の実施形態に係るＸ線装置を示す断面図である。
【図６】図６は、図５に示したＸ線装置の一部を示す分解断面図である。
【図７】図７は、第４の実施形態に係るＸ線装置を示す断面図である。
【図８】図８は、第６の実施形態に係るＸ線装置を示す断面図である。
【図９】図９は、第７の実施形態に係るＸ線装置を示す断面図である。
【図１０】図１０は、図９に示したケーブルグランドを示す分解斜視図である。
【図１１】図１１は、高電圧供給端子及び高電圧ケーブルを示す図であり、高電圧ケーブルの一端部を示す断面図である。
【図１２】図１２は、第８の実施形態に係るＸ線装置を示す断面図である。
【図１３】図１３は、上述した実施形態に係るＸ線装置の比較例１を示す断面図である。
【図１４】図１４は、上述した実施形態に係るＸ線装置の比較例２を示す断面図である。
【発明を実施するための形態】
【００１２】
以下、図面を参照しながら第１の実施形態に係るＸ線装置について詳細に説明する。図１は、第１の実施形態に係るＸ線装置を示す断面図である。  
図１に示すように、Ｘ線装置は、回転陽極型のＸ線管装置１０、冷却器２２、高電圧コネクタ１００及び高電圧コネクタ２００を備えている。
【００１３】
Ｘ線管装置１０は、ハウジング２０と、ハウジング２０内に収納されたＸ線管３０と、ハウジング２０の内部に充填され、Ｘ線管３０とハウジング２０との間の空間に充填された冷却液７と、回転駆動装置としてのステータコイル９１０と、ケーブルアセンブリ６０と、ケーブルアセンブリ７０と、電気絶縁性部材８１（第１電気絶縁性部材）と、電気絶縁性部材９１（第２電気絶縁性部材）とを備えている。
【００１４】
ハウジング２０は、分断された２つの分割部２０ａ、２０ｃを有している。分割部２０ａは、開口端の外縁側に枠部２０ｂを有している。分割部２０ｃは、開口端の外縁側に枠部２０ｄを有している。枠部２０ｄは、枠部２０ｂに対向した側に形成された枠状の溝部が形成されている。
【００１５】
分割部２０ａ、２０ｃは、枠部２０ｂ、２０ｄが対向するよう接触され、図示しない締め具により締め付けられている。枠部２０ｂ及び枠部２０ｄ間の隙間は、上記溝部に設けられた枠状のＯリングにより液密にシールされている。上記Ｏリングは、ハウジング２０外部への冷却液７の漏れを防止する機能を有している。
【００１６】
ハウジング２０の内面は、冷却液７に接している。ハウジング２０には、ゴムベローズ２１が設けられ、冷却液７の圧力調整が行われている。ハウジング２０は、Ｘ線を透過しハウジング２０外部に放射するＸ線放射窓２０ｗを有している。ハウジング２０は、開口２０ｏ１（第１開口）及び開口２０ｏ２（第２開口）を有している。
【００１７】
Ｘ線管３０は、真空外囲器３１を備えている。真空外囲器３１は、真空容器３２を有している。真空容器３２は、例えば、ガラスや、銅、ステンレス、アルミニウム等の非磁性の金属で形成されている。Ｘ線放射窓３３は、真空容器３２に気密に設けられている。ここでは、Ｘ線放射窓３３は、ベリリウムで形成されている。真空外囲器３１の一部は、高電圧絶縁部材４０（第１高電圧絶縁部材）及び高電圧絶縁部材５０（第２高電圧絶縁部材）で形成されている。この実施形態において、高電圧絶縁部材４０及び高電圧絶縁部材５０は、セラミクスで形成されている。
【００１８】
Ｘ線管３０は、高電圧供給端子４４（第１高電圧供給端子）、高電圧供給端子５４（第２高電圧供給端子）、陽極ターゲット３５及び陰極３６を有している。この実施形態において、高電圧供給端子４４及び高電圧供給端子５４は、金属端子である。高電圧供給端子４４は、高電圧絶縁部材４０の外面から真空外囲器３１の外側に露出し、陽極ターゲット３５に電気的に接続されている。高電圧供給端子５４は、高電圧絶縁部材５０の外面から真空外囲器３１の外側に露出し、陰極３６に電気的に接続されている。
【００１９】
陽極ターゲット３５は、真空外囲器３１内に設けられている。陽極ターゲット３５は、円盤状に形成されている。陽極ターゲット３５は、この陽極ターゲットの外面の一部に設けられたターゲット層３５ａを有している。ターゲット層３５ａは、陰極３６から照射される電子が衝突されることによりＸ線を放出する。陽極ターゲット３５は、モリブデンなどの金属で形成されている。ターゲット層３５ａは、モリブデン、モリブデン合金、タングステン合金等の金属で形成されている。陽極ターゲット３５は、管軸を中心に回転可能である。
【００２０】
陰極３６は、真空外囲器３１内に設けられている。陰極３６は、陽極ターゲット３５に照射する電子を放出する。陰極３６には相対的に負の電圧が印加される。低膨張合金であるＫＯＶ部材５５は、真空外囲器３１内で高電圧供給端子５４を覆っている。ここでは、高電圧供給端子５４及び高電圧絶縁部材５０間、並びにＫＯＶ部材５５及び高電圧絶縁部材５０間は、ろう付けされている。ＫＯＶ部材５５には、陰極支持部材３７が取付けられている。陰極３６は、陰極支持部材３７に取付けられている。
【００２１】
高電圧供給端子５４は、陰極支持部材３７の内部を通って陰極３６に接続されている。高電圧供給端子５４は、陰極３６に相対的に負の電圧を印加するともに陰極３６の図示しないフィラメント（電子放出源）にフィラメント電流を供給するものである。
【００２２】
Ｘ線管３０は、ロータ９２０、軸受け９３０、固定体１及び回転体２を備えている。固定体１は、円柱状に形成され、高電圧絶縁部材４０に固定されている。固定体１には、高電圧供給端子４４が電気的に接続されている。ここでは、固定体１は、高電圧供給端子４４と一体に形成されている。固定体１は回転体２を回転可能に支持する。回転体２は筒状に形成され、固定体１と同軸的に設けられている。回転体２の外面にロータ９２０が取り付けられている。回転体２には、陽極ターゲット３５が取付けられている。軸受け９３０は、固定体１及び回転体２間に形成されている。回転体２は、陽極ターゲット３５とともに回転可能に設けられている。高電圧供給端子４４は、固定体１、軸受け９３０、及び回転体２を介して陽極ターゲット３５に相対的に正の電圧を印加する。
【００２３】
図２は、図１に示したＸ線装置の一部を示す分解断面図である。  
図１及び図２に示すように、ケーブルアセンブリ６０は、高電圧ケーブル６１（第１高電圧ケーブル）と、高電圧コネクタ６２と、取付リング６６と、固定部材６７とを有している。高電圧ケーブル６１は、一端部が高電圧供給端子４４に電気的に接続され、他端部が開口２０ｏ１を通ってハウジング２０の外側に位置している。高電圧供給端子４４及び高電圧ケーブル６１の接続には、溶接や半田付けなどを利用することができる。高電圧ケーブル６１は、高電圧供給端子４４に高電圧を与える。
【００２４】
高電圧コネクタ６２は、高電圧ケーブル６１の他端部に設けられている。高電圧コネクタ６２は、固定部材６３と、電気絶縁部材６４とを有している。固定部材６３は、金属などの剛性の高い材料で環状に形成され、高電圧ケーブル６１の外周を囲んでいる。固定部材６３は、ねじ６５とともに押圧機構を形成している。
【００２５】
電気絶縁部材６４は、例えばゴムで形成されている。電気絶縁部材６４の外面は、高電圧ケーブル６１の他端部の先端に向かって細くなるテーパ状の凸面である。高電圧ケーブル６１の他端部、固定部材６３及び電気絶縁部材６４は、一体に形成されている。
【００２６】
取付リング６６は、高電圧ケーブル６１の外周を囲み、接着剤により高電圧ケーブル６１に接着されている。上記接着剤は、取付リング６６及び高電圧ケーブル６１間を液密にシールしている。取付リング６６の形状は、開口２０ｏ１に対応した形状である。取付リング６６は、開口２０ｏ１に位置している。
【００２７】
なお、開口２０ｏ１には、環状の溝部が形成されている。取付リング６６及び開口２０ｏ１間の隙間は、上記溝部に設けられた環状のＯリングによりシールされている。上記Ｏリングは、取付リング６６及び開口２０ｏ１間の隙間からハウジング２０外部への冷却液７の漏れを防止する機能を有している。上記Ｏリングは、樹脂やゴムで形成されている。
【００２８】
固定部材６７は、環状に形成され、高電圧ケーブル６１の外周を囲んでいる。ねじ６８は、固定部材６７に形成された貫通孔を通って、取付リング６６に形成されたネジ穴に締め付けられている。他のねじ６８は、固定部材６７に形成された貫通孔を通って、ハウジング２０に形成されたネジ穴に締め付けられている。これにより、ハウジング２０に対する取付リング６６及び高電圧ケーブル６１の位置を固定することができる。
【００２９】
ケーブルアセンブリ７０は、高電圧ケーブル７１（第２高電圧ケーブル）と、高電圧コネクタ７２と、取付リング７６と、固定部材７７とを有している。高電圧ケーブル７１は、一端部が高電圧供給端子５４に電気的に接続され、他端部が開口２０ｏ２を通ってハウジング２０の外側に位置している。高電圧供給端子５４及び高電圧ケーブル７１の接続には、溶接や半田付けなどを利用することができる。高電圧ケーブル７１は、高電圧供給端子５４に高電圧を与える。
【００３０】
高電圧コネクタ７２は、高電圧ケーブル７１の他端部に設けられている。高電圧コネクタ７２は、固定部材７３と、電気絶縁部材７４とを有している。固定部材７３は、金属などの剛性の高い材料で環状に形成され、高電圧ケーブル７１の外周を囲んでいる。固定部材７３は、ねじ７５とともに押圧機構を形成している。
【００３１】
電気絶縁部材７４は、例えばゴムで形成されている。電気絶縁部材７４の外面は、高電圧ケーブル７１の他端部の先端に向かって細くなるテーパ状の凸面である。高電圧ケーブル７１の他端部、固定部材７３及び電気絶縁部材７４は、一体に形成されている。
【００３２】
取付リング７６は、高電圧ケーブル７１の外周を囲み、接着剤により高電圧ケーブル７１に接着されている。上記接着剤は、取付リング７６及び高電圧ケーブル７１間を液密にシールしている。取付リング７６の形状は、開口２０ｏ２に対応した形状である。取付リング７６は、開口２０ｏ２に位置している。
【００３３】
なお、開口２０ｏ２には、環状の溝部が形成されている。取付リング７６及び開口２０ｏ２間の隙間は、上記溝部に設けられた環状のＯリングによりシールされている。上記Ｏリングは、取付リング７６及び開口２０ｏ２間の隙間からハウジング２０外部への冷却液７の漏れを防止する機能を有している。上記Ｏリングは、樹脂やゴムで形成されている。
【００３４】
固定部材７７は、環状に形成され、高電圧ケーブル７１の外周を囲んでいる。ねじ７８は、固定部材７７に形成された貫通孔を通って、取付リング７６に形成されたネジ穴に締め付けられている。他のねじ７８は、固定部材７７に形成された貫通孔を通って、ハウジング２０に形成されたネジ穴に締め付けられている。これにより、ハウジング２０に対する取付リング７６及び高電圧ケーブル７１の位置を固定することができる。
【００３５】
図１に示すように、電気絶縁性部材８１は、高電圧供給端子４４と高電圧ケーブル６１との電気的接続部を覆い、冷却液７に取り囲まれ、冷却液７により直接または間接的に冷却される。
【００３６】
この実施形態において、高電圧供給端子４４は、真空外囲器３１の外側に、高電圧絶縁部材４０の外面から突出して形成されている。電気絶縁性部材８１は、樹脂で形成され、高電圧供給端子４４と高電圧ケーブル６１との電気的接続部を埋め尽くし、高電圧絶縁部材４０の外面に直に接着されている。電気絶縁性部材８１は、高電圧供給端子４４と高電圧ケーブル６１との電気的接続部の近傍において、冷却液７に取り囲まれ冷却液７により直接冷却される。
【００３７】
より詳しくは、電気絶縁性部材８１はモールド材で形成されている。電気絶縁性部材８１を形成する際、予め、高電圧供給端子４４及び高電圧ケーブル６１を電気的に接続しておく。電気絶縁性部材８１の形成がスタートすると、まず、図示しないモールド材槽内部に、高電圧絶縁部材４０の外面、高電圧供給端子４４と高電圧ケーブル６１との電気的接続部、及び高電圧ケーブル６１の一部を搬入し、モールド材槽内にモールド材を注入する。その後、注入したモールド材を硬化し、モールド材槽から搬出する。これにより、電気絶縁性部材８１が形成される。
【００３８】
なお、モールド材を注入する際、真空中での注入が好ましく、図示しない真空槽の内部で行うことが好ましい。真空中でモールド材を注入することにより、モールド材中に残る恐れのある空気等の気泡が残らないようにすることができる。
【００３９】
電気絶縁性部材９１は、高電圧供給端子５４と高電圧ケーブル７１との電気的接続部を覆い、冷却液７に取り囲まれ、冷却液７により直接または間接的に冷却される。
【００４０】
この実施形態において、高電圧供給端子５４は、真空外囲器３１の外側に、高電圧絶縁部材５０の外面から突出して形成されている。電気絶縁性部材９１は、樹脂で形成され、高電圧供給端子５４と高電圧ケーブル７１との電気的接続部を埋め尽くし、高電圧絶縁部材５０の外面に直に接着されている。電気絶縁性部材９１は、高電圧供給端子５４と高電圧ケーブル７１との電気的接続部の近傍において、冷却液７に取り囲まれ冷却液７により直接冷却される。
【００４１】
より詳しくは、電気絶縁性部材９１はモールド材で形成されている。電気絶縁性部材９１は、電気絶縁性部材８１を形成する手法と同一の手法を用いることにより、形成することができる。
【００４２】
図１及び図２に示すように、高電圧コネクタ１００は、筒状のハウジング１０１と、ハウジング１０１内にその先端が挿入されたケーブル１０２と、ハウジング１０１内に充填され、ケーブル１０２の端子をハウジング１０１の開口部側に向けて固定する固定部１０３とを備えている。固定部１０３は、電気絶縁材である。固定部１０３は、電気絶縁部材６４の外面と密着するよう、ハウジング１０１の開口部からケーブル１０２の端子に向かって狭くなるテーパ状の凹面を有している。
【００４３】
この実施形態において、固定部１０３は、電気絶縁部材６４の外面に直接密着されている。なお、固定部１０３は、図示しないシリコーンプレートなどを介して電気絶縁部材６４の外面に間接的に密着されていてもよい。高電圧コネクタ１００は、高電圧供給端子４４に高電圧を与えるものである。
【００４４】
高電圧コネクタ１００をハウジング２０に取り付ける際、ケーブル１０２の端子が高電圧ケーブル６１の他端部の端子に接続した状態で、固定部１０３が電気絶縁部材６４と密着するように押圧する。ここでは、押圧する際、ねじ６５を、固定部材６３に形成された貫通孔を通して、ハウジング１０１に形成されたネジ穴に締め付ける。
【００４５】
高電圧コネクタ２００は、筒状のハウジング２０１と、ハウジング２０１内にその先端が挿入されたケーブル２０２と、ハウジング２０１内に充填され、ケーブル２０２の端子をハウジング２０１の開口部側に向けて固定する固定部２０３とを備えている。固定部２０３は、電気絶縁材である。固定部２０３は、電気絶縁部材７４の外面と密着するよう、ハウジング２０１の開口部からケーブル２０２の端子に向かって狭くなるテーパ状の凹面を有している。
【００４６】
この実施形態において、固定部２０３は、電気絶縁部材７４の外面に直接密着されている。なお、固定部２０３は、図示しないシリコーンプレートなどを介して電気絶縁部材７４の外面に間接的に密着されていてもよい。高電圧コネクタ２００は、高電圧供給端子５４に高電圧を与えるものである。
【００４７】
高電圧コネクタ２００をハウジング２０に取り付ける際、ケーブル２０２の端子が高電圧ケーブル７１の他端部の端子に接続した状態で、固定部２０３が電気絶縁部材７４と密着するように押圧する。ここでは、押圧する際、ねじ７５を、固定部材７３に形成された貫通孔を通して、ハウジング２０１に形成されたネジ穴に締め付ける。
【００４８】
ハウジング２０には、冷却液７の導入口２６及び排出口２７が形成されている。ハウジング２０の外部には、冷却器２２が設けられ、ホースなどの導管を介してハウジング２０の導入口２６及び排出口２７に連結されている。冷却器２２は、ハウジング２０内の冷却液７を放熱及び循環させるものである。冷却器２２は、冷却液循環ポンプ２３及び熱交換器２４を有している。冷却液循環ポンプ２３は、ハウジング２０側から取り入れた冷却液７を熱交換器２４に吐出し、冷却液７の流れをハウジング２０内に作り出す。熱交換器２４は、ハウジング２０及び冷却液循環ポンプ２３間に連結され、冷却液７の熱を外部に放出する。
【００４９】
上記のことから、ハウジング２０内に冷却液７の流れる冷却路を形成することができる。冷却液７としては、絶縁油又は水系冷却液を用いることができる。この実施形態において、冷却液７として水系冷却液を用いている。そして、冷却液７により、電気絶縁性部材８１、９１、高電圧ケーブル６１、７１を冷却することができる。
【００５０】
このように構成されたＸ線管装置１０では、ステータコイル９１０に所定の電流を印加することでロータ９２０が回転し、陽極ターゲット３５が回転する。次に、高電圧コネクタ１００、２００に所定の高電圧を印加する。
【００５１】
高電圧コネクタ１００に印加された高電圧は、高電圧ケーブル６１、高電圧供給端子４４、固定体１、軸受け９３０及び回転体２を介して陽極ターゲット３５に供給される。高電圧コネクタ２００に印加された高電圧は、高電圧ケーブル７１、高電圧供給端子５４を介して陰極３６に供給される。
【００５２】
これにより、陰極３６から陽極ターゲット３５のターゲット層３５ａに電子ビームが放射され、陽極ターゲット３５からＸ線が放射され、Ｘ線は、Ｘ線放射窓３３及びＸ線放射窓２０ｗを透過して外部へ放射される。
【００５３】
上記のように構成された第１の実施形態に係るＸ線装置によれば、Ｘ線管装置１０は、Ｘ線管３０と、ハウジング２０と、冷却液７と、高電圧ケーブル６１、７１とを備えている。陽極ターゲット３５に電気的に接続された高電圧供給端子４４は、高電圧絶縁部材４０から真空外囲器３１の外側に露出している。陰極３６に電気的に接続された高電圧供給端子５４は、高電圧絶縁部材５０から真空外囲器３１の外側に露出している。
【００５４】
高電圧ケーブル６１は、一端部が高電圧供給端子４４に電気的に接続され、他端部がハウジング２０の外側に位置している。高電圧ケーブル７１は、一端部が高電圧供給端子５４に電気的に接続され、他端部がハウジング２０の外側に位置している。Ｘ線管装置１０の管軸に沿った方向において、Ｘ線管３０と、ハウジング２０との間にリセプタクルを設ける構造ではないため、リセプタクルを設ける構造と比べてＸ線管装置１０の小型化を図ることができる。
【００５５】
Ｘ線管装置１０は、電気絶縁性部材８１、９１を備えている。電気絶縁性部材８１は高電圧絶縁部材４０の外面に直に接着され、電気絶縁性部材９１は高電圧絶縁部材５０の外面に直に接着されている。高電圧絶縁部材４０に向けて電気絶縁性部材８１に圧力をかける構造や、高電圧絶縁部材５０に向けて電気絶縁性部材９１に圧力をかける構造ではないため、電気絶縁性部材８１や電気絶縁性部材９１が熱の影響を受けても良好な絶縁性を保持することができる。Ｘ線管装置１０は、長期にわたって高い信頼性を得ることができる。
【００５６】
ハウジング２０内において、高電圧ケーブル６１は、冷却液７に浸っているため、陽極ターゲット３５から高電圧ケーブル６１に伝達される熱を冷却液７に放出することができる。高電圧供給端子４４と高電圧ケーブル６１との電気的接続部を覆った電気絶縁性部材８１は、冷却液７に取り囲まれ冷却液７により直接冷却される。このため、陽極ターゲット３５から高電圧供給端子４４と高電圧ケーブル６１との電気的接続部に伝達される熱を冷却液７に放出することができる。
【００５７】
陽極ターゲット３５から高電圧ケーブル６１の他端部に伝達される熱の量を低減できる。高電圧コネクタ６２の電気絶縁部材６４の表面の変形を抑制することができるため、高電圧コネクタ６２と、高電圧コネクタ１００との密着性を維持することができ、良好な絶縁性を保持することができる。
【００５８】
この実施形態において、面圧式の高電圧コネクタ６２及び高電圧コネクタ１００を用いたが、高電圧ケーブル６１が十分に長い場合などは非面圧式の高電圧コネクタを用いてもよく、この場合も良好な絶縁性を保持することができる。
【００５９】
ハウジング２０内において、高電圧ケーブル７１は、冷却液７に浸っているため、陰極３６から高電圧ケーブル７１に伝達される熱を冷却液７に放出することができる。高電圧供給端子５４と高電圧ケーブル７１との電気的接続部を覆った電気絶縁性部材９１は、冷却液７に取り囲まれ冷却液７により直接冷却される。このため、陰極３６から高電圧供給端子５４と高電圧ケーブル７１との電気的接続部に伝達される熱を冷却液７に放出することができる。
【００６０】
陰極３６から高電圧ケーブル７１の他端部に伝達される熱の量を低減できる。高電圧コネクタ７２の電気絶縁部材７４の表面の変形を抑制することができるため、高電圧コネクタ７２と、高電圧コネクタ２００との密着性を維持することができ、良好な絶縁性を保持することができる。
【００６１】
この実施形態において、面圧式の高電圧コネクタ７２及び高電圧コネクタ２００を用いたが、高電圧ケーブル７１が十分に長い場合などは非面圧式の高電圧コネクタを用いてもよく、この場合も良好な絶縁性を保持することができる。
【００６２】
電気絶縁性部材８１は高電圧供給端子４４と高電圧ケーブル６１との電気的接続部を埋め尽くし、電気絶縁性部材９１は高電圧供給端子５４と高電圧ケーブル７１との電気的接続部を埋め尽くしている。これにより、冷却液７として、熱伝達率が最も高い、水を主成分とする水系冷却液を用いることができる。このため、冷却液７は、陽極ターゲット３５から高電圧供給端子４４及び高電圧ケーブル６１に伝達される熱や、陰極３６から高電圧供給端子５４及び高電圧ケーブル７１に伝達される熱などを最も有効に奪うことができる。また、水系冷却液は、絶縁油に比べて、比熱が大きい（絶縁油の約２倍）ため、冷却液７の温度上昇を低く抑えることができる。
【００６３】
電気絶縁性部材８１、９１は、セラミクスより安価な樹脂を使用して形成することができる。  
樹脂で形成された電気絶縁性部材８１、９１は高温になるとガスを放出する傾向にあるが、電気絶縁性部材８１、９１は、真空外囲器３１の外側に位置している。セラミクスで形成された高電圧絶縁部材４０、５０は高温になってもほとんどガスを放出しないため、真空外囲器３１の真空度の低下を低減することができる。  
上記のことから、小型化を図ることができ、長期にわたって高い信頼性を得ることができるＸ線管装置１０及びＸ線管装置を備えたＸ線装置を得ることができる。
【００６４】
次に、第２の実施形態に係るＸ線装置について説明する。この実施形態において、上述した実施形態と同一機能部分には同一符号を付し、その詳細な説明は省略する。図３は、第２の実施形態に係るＸ線装置を示す断面図である。
【００６５】
図３に示すように、Ｘ線装置は、回転陽極型のＸ線管装置１０を備えている。図示しないが、Ｘ線装置は、上記冷却器２２、高電圧コネクタ１００及び高電圧コネクタ２００も備えている。
【００６６】
高電圧絶縁部材４０は、真空外囲器３１の外側に開口した穴部４１を有している。この実施形態において、穴部４１は、管軸に直交した方向に延在している。高電圧供給端子４４は、穴部４１の底部に位置している。高電圧絶縁部材４０は、穴部４１を通して高電圧供給端子４４を真空外囲器３１の外側に露出させている。
【００６７】
高電圧ケーブル６１の一端部は、穴部４１を通って高電圧供給端子４４に電気的に接続されている。この実施形態において、高電圧供給端子４４は、奥まって位置し、高電圧供給端子４４及び高電圧ケーブル６１の接続には、溶接や半田付けなどを利用することは困難なため、例えばスプリングアクションを利用して接続することができる。
【００６８】
電気絶縁性部材８１は、樹脂で形成され、穴部４１に充填され、高電圧供給端子４４と高電圧ケーブル６１との電気的接続部を埋め尽くしている。  
より詳しくは、電気絶縁性部材８１はモールド材で形成されている。電気絶縁性部材８１の形成がスタートすると、まず、穴部４１を通して、高電圧供給端子４４に高電圧ケーブル６１の一端部を押し付けた状態を維持した状態で穴部４１にモールド材を注入する。その後、注入したモールド材を硬化することにより、穴部４１に電気絶縁性部材８１が形成される。
【００６９】
なお、モールド材を注入する際、真空中での注入が好ましい。また、穴部４１に空気が残らない方が良好に絶縁性を確保することができるため、モールド材を注入する際、穴部４１を全てモールド材で満たした方が好ましい。この実施形態において、モールド材は溢れる程度に穴部４１に注入されている。
【００７０】
高電圧絶縁部材５０は、真空外囲器３１の外側に開口した穴部５１を有している。この実施形態において、穴部５１は、管軸に直交した方向に延在している。高電圧供給端子５４は、穴部５１の底部に位置している。高電圧絶縁部材５０は、穴部５１を通して高電圧供給端子５４を真空外囲器３１の外側に露出させている。
【００７１】
高電圧ケーブル７１の一端部は、穴部５１を通って高電圧供給端子５４に電気的に接続されている。この実施形態において、高電圧供給端子５４は、奥まって位置し、高電圧供給端子５４及び高電圧ケーブル７１の接続には、溶接や半田付けなどを利用することは困難なため、例えばスプリングアクションを利用して接続することができる。
【００７２】
電気絶縁性部材９１は、樹脂で形成され、穴部５１に充填され、高電圧供給端子５４と高電圧ケーブル７１との電気的接続部を埋め尽くしている。  
より詳しくは、電気絶縁性部材９１はモールド材で形成されている。電気絶縁性部材９１は、電気絶縁性部材８１を形成する手法と同一の手法を用いることにより、形成することができる。
【００７３】
上記のように構成された第２の実施形態に係るＸ線装置によれば、Ｘ線管装置１０は、Ｘ線管３０と、ハウジング２０と、冷却液７と、高電圧ケーブル６１、７１とを備えている。  
Ｘ線管装置１０の管軸に沿った方向において、Ｘ線管３０と、ハウジング２０との間にリセプタクルを設ける構造ではないため、Ｘ線管装置１０の小型化を図ることができる。
【００７４】
Ｘ線管装置１０は、電気絶縁性部材８１、９１を備えている。電気絶縁性部材８１はモールド材を穴部４１に充填して形成され、電気絶縁性部材９１はモールド材を穴部５１に充填して形成されている。高電圧絶縁部材４０に向けて電気絶縁性部材８１に圧力をかける構造や、高電圧絶縁部材５０に向けて電気絶縁性部材９１に圧力をかける構造ではないため、電気絶縁性部材８１や電気絶縁性部材９１が熱の影響を受けても良好な絶縁性を保持することができる。Ｘ線管装置１０は、長期にわたって高い信頼性を得ることができる。
【００７５】
高電圧供給端子４４と高電圧ケーブル６１との電気的接続部を覆った電気絶縁性部材８１は、冷却液７に取り囲まれ冷却液７により直接冷却され、また高電圧絶縁部材４０を介して間接的に冷却される。このため、陽極ターゲット３５から高電圧供給端子４４と高電圧ケーブル６１との電気的接続部に伝達される熱を冷却液７に放出することができる。
【００７６】
高電圧供給端子５４と高電圧ケーブル７１との電気的接続部を覆った電気絶縁性部材９１は、冷却液７に取り囲まれ冷却液７により直接冷却され、また高電圧絶縁部材５０を介して間接的に冷却される。このため、陰極３６から高電圧供給端子５４と高電圧ケーブル７１との電気的接続部に伝達される熱を冷却液７に放出することができる。
【００７７】
電気絶縁性部材８１は高電圧供給端子４４と高電圧ケーブル６１との電気的接続部を埋め尽くし、電気絶縁性部材９１は高電圧供給端子５４と高電圧ケーブル７１との電気的接続部を埋め尽くしている。
【００７８】
電気絶縁性部材８１、９１は、セラミクスより安価な樹脂を使用して形成することができる。  
このため、上記第１の実施形態に係るＸ線装置と同様の効果を得ることができる。
【００７９】
また、上記第１の実施形態に比べ、電気絶縁性部材８１、９１を形成する際の高電圧ケーブル６１、７１に加わる熱の悪影響を低減することができる。  
上記のことから、小型化を図ることができ、長期にわたって高い信頼性を得ることができるＸ線管装置１０及びＸ線管装置を備えたＸ線装置を得ることができる。
【００８０】
ここで、上記第２の実施形態に係るＸ線装置の変形例について説明する。図４は、上記第２の実施形態に係るＸ線装置の変形例を示す断面図である。  
図４に示すように、高電圧絶縁部材４０は、穴部４１の他、真空外囲器３１の外側に開口した他の穴部４２を有している。ここでは、穴部４２は、管軸に沿った方向に延在している。高電圧供給端子４４は、穴部４１及び穴部４２の底部に位置している。高電圧絶縁部材４０は、穴部４１、４２を通して高電圧供給端子４４を真空外囲器３１の外側に露出させている。
【００８１】
高電圧ケーブル６１の一端部は、穴部４１を通って高電圧供給端子４４に電気的に接続されている。高電圧供給端子４４は、奥まって位置しているが、高電圧絶縁部材４０は、穴部４１だけでなく穴部４２も有している。このため、穴部４２を用いることにより、高電圧供給端子４４及び高電圧ケーブル６１の接続に、溶接や半田付けなどを利用するが可能となる。
【００８２】
電気絶縁性部材８１は、樹脂で形成され、穴部４１、４２に充填され、高電圧供給端子４４と高電圧ケーブル６１との電気的接続部を埋め尽くしている。  
より詳しくは、電気絶縁性部材８１はモールド材で形成されている。電気絶縁性部材８１の形成がスタートすると、まず、穴部４１に高電圧ケーブル６１の一端部を通し、穴部４２を用い、高電圧供給端子４４及び高電圧ケーブル６１を溶接や半田付けなどを利用して接続する。続いて、穴部４１、４２にモールド材を注入した後、注入したモールド材を硬化することにより、穴部４１、４２に電気絶縁性部材８１が形成される。
【００８３】
上記のように、高電圧絶縁部材４０に穴部４２をさらに形成することにより、スプリングアクションを利用すること無しに、溶接や半田付けなどを利用して高電圧供給端子４４及び高電圧ケーブル６１を接続することができる。
【００８４】
高電圧絶縁部材５０は、穴部５１の他、真空外囲器３１の外側に開口した他の穴部５２を有している。ここでは、穴部５２は、管軸に沿った方向に延在している。高電圧供給端子５４は、穴部５１及び穴部５２の底部に位置している。高電圧絶縁部材５０は、穴部５１、５２を通して高電圧供給端子５４を真空外囲器３１の外側に露出させている。
【００８５】
高電圧ケーブル７１の一端部は、穴部５１を通って高電圧供給端子５４に電気的に接続されている。高電圧供給端子５４は、奥まって位置しているが、高電圧絶縁部材５０は、穴部５１だけでなく穴部５２も有している。このため、穴部５２を用いることにより、高電圧供給端子５４及び高電圧ケーブル７１の接続に、溶接や半田付けなどを利用するが可能となる。
【００８６】
電気絶縁性部材９１は、樹脂で形成され、穴部５１、５２に充填され、高電圧供給端子５４と高電圧ケーブル７１との電気的接続部を埋め尽くしている。  
より詳しくは、電気絶縁性部材９１はモールド材で形成されている。電気絶縁性部材９１の形成がスタートすると、まず、穴部５１に高電圧ケーブル７１の一端部を通し、穴部５２を用い、高電圧供給端子５４及び高電圧ケーブル７１を溶接や半田付けなどを利用して接続する。続いて、穴部５１、５２にモールド材を注入した後、注入したモールド材を硬化することにより、穴部５１、５２に電気絶縁性部材９１が形成される。
【００８７】
上記のように、高電圧絶縁部材５０に穴部５２をさらに形成することにより、スプリングアクションを利用すること無しに、溶接や半田付けなどを利用して高電圧供給端子５４及び高電圧ケーブル７１を接続することができる。
【００８８】
次に、第３の実施形態に係るＸ線装置について説明する。この実施形態において、上述した実施形態と同一機能部分には同一符号を付し、その詳細な説明は省略する。図５は、第３の実施形態に係るＸ線装置を示す断面図である。図６は、図５に示したＸ線装置の一部を示す分解断面図である。
【００８９】
図５及び図６に示すように、Ｘ線装置は、回転陽極型のＸ線管装置１０を備えている。図示しないが、Ｘ線装置は、上記冷却器２２、高電圧コネクタ１００及び高電圧コネクタ２００も備えている。
【００９０】
Ｘ線管装置１０は、接着面８２ｓを有した高電圧絶縁部材８２と、高電圧絶縁部材８２の接着面８２ｓを高電圧絶縁部材４０の外面に接着させる接着部材８４と、をさらに備えている。高電圧絶縁部材８２は、セラミクスで形成されている。接着部材８４は、電気絶縁性及び耐熱性を有する材料として例えばエポキシ系の樹脂で形成されている。
【００９１】
高電圧供給端子４４は、第１分割部４４ａと、第２分割部４４ｂと、を有している。第１分割部４４ａは、高電圧絶縁部材４０から真空外囲器３１の外側に露出している。第２分割部４４ｂは、高電圧絶縁部材８２に設けられ、高電圧絶縁部材８２の内部に位置し、接着面８２ｓから高電圧絶縁部材８２の外側に露出し、第１分割部４４ａに電気的に接続される。この実施形態において、第２分割部４４ｂの側面は、スプリングアクションを利用して第１分割部４４ａと接触している。
【００９２】
高電圧絶縁部材８２は、接着面８２ｓから外れた位置に開口した穴部８３を有している。この実施形態において、穴部８３は、管軸に直交した方向に延在している。高電圧供給端子４４の第２分割部４４ｂは、穴部８３の底部に位置している。高電圧絶縁部材８２は、穴部８３を通して第２分割部４４ｂを真空外囲器３１の外側に露出させている。
【００９３】
高電圧ケーブル６１の一端部は、穴部８３を通って第２分割部４４ｂに電気的に接続されている。この実施形態において、第２分割部４４ｂは、奥まって位置し、第２分割部４４ｂ及び高電圧ケーブル６１の接続には、溶接や半田付けなどを利用することは困難なため、例えばスプリングアクションを利用して接続することができる。
【００９４】
電気絶縁性部材８１は、樹脂で形成され、穴部８３に充填され、第２分割部４４ｂと高電圧ケーブル６１との電気的接続部を埋め尽くしている。  
より詳しくは、電気絶縁性部材８１はモールド材で形成されている。電気絶縁性部材８１の形成がスタートすると、まず、穴部８３を通して、第２分割部４４ｂに高電圧ケーブル６１の一端部を押し付けた状態を維持した状態で穴部８３にモールド材を注入する。その後、注入したモールド材を硬化することにより、穴部８３に電気絶縁性部材８１が形成される。
【００９５】
電気絶縁性部材８１、高電圧絶縁部材８２及び第２分割部４４ｂは、ケーブルアセンブリ６０の一部を形成している。これにより、ケーブルアセンブリ６０を形成した後、接着部材８４を用いて高電圧絶縁部材８２の接着面８２ｓを高電圧絶縁部材４０の外面に接着させることができる。
【００９６】
または、接着部材８４を用いて高電圧絶縁部材８２の接着面８２ｓを高電圧絶縁部材４０の外面にまず接着させ、第１分割部４４ａ及び第２分割部４４ｂを電気的に接続してもよい。この場合、第２分割部４４ｂは、予め第１分割部４４ａと一体に形成され高電圧絶縁部材４０側に設けられていてもよい。次いで、穴部８３を通して、第２分割部４４ｂに高電圧ケーブル６１の一端部を押し付けた状態を維持した状態で穴部８３にモールド材を注入する。その後、注入したモールド材を硬化することにより、穴部８３に電気絶縁性部材８１が形成される。
【００９７】
Ｘ線管装置１０は、接着面９２ｓを有した高電圧絶縁部材９２と、高電圧絶縁部材９２の接着面９２ｓを高電圧絶縁部材５０の外面に接着させる接着部材９４と、をさらに備えている。高電圧絶縁部材９２は、セラミクスで形成されている。接着部材９４は、電気絶縁性及び耐熱性を有する材料として例えばエポキシ系の樹脂で形成されている。
【００９８】
高電圧供給端子５４は、第１分割部５４ａと、第２分割部５４ｂと、を有している。第１分割部５４ａは、高電圧絶縁部材５０から真空外囲器３１の外側に露出している。第２分割部５４ｂは、高電圧絶縁部材９２に設けられ、高電圧絶縁部材９２の内部に位置し、接着面９２ｓから高電圧絶縁部材９２の外側に露出し、第１分割部５４ａに電気的に接続される。この実施形態において、第２分割部５４ｂの側面は、スプリングアクションを利用して第１分割部５４ａと接触している。
【００９９】
高電圧絶縁部材９２は、接着面９２ｓから外れた位置に開口した穴部９３を有している。この実施形態において、穴部９３は、管軸に直交した方向に延在している。高電圧供給端子５４の第２分割部５４ｂは、穴部９３の底部に位置している。高電圧絶縁部材９２は、穴部９３を通して第２分割部５４ｂを真空外囲器３１の外側に露出させている。
【０１００】
高電圧ケーブル７１の一端部は、穴部９３を通って第２分割部５４ｂに電気的に接続されている。この実施形態において、第２分割部５４ｂは、奥まって位置し、第２分割部５４ｂ及び高電圧ケーブル７１の接続には、溶接や半田付けなどを利用することは困難なため、例えばスプリングアクションを利用して接続することができる。
【０１０１】
電気絶縁性部材９１は、樹脂で形成され、穴部９３に充填され、第２分割部５４ｂと高電圧ケーブル７１との電気的接続部を埋め尽くしている。  
より詳しくは、電気絶縁性部材９１はモールド材で形成されている。電気絶縁性部材９１は、電気絶縁性部材８１を形成する手法と同一の手法を用いることにより、形成することができる。
【０１０２】
電気絶縁性部材９１、高電圧絶縁部材９２及び第２分割部５４ｂは、ケーブルアセンブリ７０の一部を形成している。これにより、ケーブルアセンブリ７０を形成した後、接着部材９４を用いて高電圧絶縁部材９２の接着面９２ｓを高電圧絶縁部材５０の外面に接着させることができる。
【０１０３】
または、接着部材９４を用いて高電圧絶縁部材９２の接着面９２ｓを高電圧絶縁部材５０の外面にまず接着させ、第１分割部５４ａ及び第２分割部５４ｂを電気的に接続してもよい。この場合、第２分割部５４ｂは、予め第１分割部５４ａと一体に形成され高電圧絶縁部材５０側に設けられていてもよい。次いで、穴部９３を通して、第２分割部５４ｂに高電圧ケーブル７１の一端部を押し付けた状態を維持した状態で穴部９３にモールド材を注入する。その後、注入したモールド材を硬化することにより、穴部９３に電気絶縁性部材９１が形成される。
【０１０４】
上記のように構成された第３の実施形態に係るＸ線装置によれば、Ｘ線管装置１０は、Ｘ線管３０と、ハウジング２０と、冷却液７と、高電圧ケーブル６１、７１とを備えている。  
Ｘ線管装置１０の管軸に沿った方向において、Ｘ線管３０と、ハウジング２０との間にリセプタクルを設ける構造ではないため、Ｘ線管装置１０の小型化を図ることができる。
【０１０５】
Ｘ線管装置１０は、電気絶縁性部材８１、９１と、高電圧絶縁部材８２、９２とを備えている。電気絶縁性部材８１はモールド材を穴部８３に充填して形成され、電気絶縁性部材９１はモールド材を穴部９３に充填して形成されている。高電圧絶縁部材８２に向けて電気絶縁性部材８１に圧力をかける構造や、高電圧絶縁部材９２に向けて電気絶縁性部材９１に圧力をかける構造ではないため、電気絶縁性部材８１や電気絶縁性部材９１が熱の影響を受けても良好な絶縁性を保持することができる。Ｘ線管装置１０は、長期にわたって高い信頼性を得ることができる。
【０１０６】
高電圧供給端子４４と高電圧ケーブル６１との電気的接続部を覆った電気絶縁性部材８１は、冷却液７に取り囲まれ冷却液７により直接冷却され、また高電圧絶縁部材８２及び高電圧絶縁部材４０を介して間接的に冷却される。このため、陽極ターゲット３５から高電圧供給端子４４と高電圧ケーブル６１との電気的接続部に伝達される熱を冷却液７に放出することができる。
【０１０７】
高電圧供給端子５４と高電圧ケーブル７１との電気的接続部を覆った電気絶縁性部材９１は、冷却液７に取り囲まれ冷却液７により直接冷却され、また高電圧絶縁部材９２及び高電圧絶縁部材５０を介して間接的に冷却される。このため、陰極３６から高電圧供給端子５４と高電圧ケーブル７１との電気的接続部に伝達される熱を冷却液７に放出することができる。
【０１０８】
電気絶縁性部材８１は第２分割部４４ｂ（高電圧供給端子４４）と高電圧ケーブル６１との電気的接続部を埋め尽くし、電気絶縁性部材９１は第２分割部５４ｂ（高電圧供給端子５４）と高電圧ケーブル７１との電気的接続部を埋め尽くしている。
【０１０９】
電気絶縁性部材８１、９１は、セラミクスより安価な樹脂を使用して形成することができる。  
このため、上記第１の実施形態に係るＸ線装置と同様の効果を得ることができる。  
また、上記第１の実施形態に比べ、電気絶縁性部材８１、９１を形成する際の高電圧ケーブル６１、７１に加わる熱の悪影響を低減することができる。
【０１１０】
さらに、Ｘ線管３０から独立した状態で、高電圧絶縁部材８２、９２のモールド成型などを行うことができる。  
上記のことから、小型化を図ることができ、長期にわたって高い信頼性を得ることができるＸ線管装置１０及びＸ線管装置を備えたＸ線装置を得ることができる。
【０１１１】
次に、第４の実施形態に係るＸ線装置について説明する。この実施形態において、上述した実施形態と同一機能部分には同一符号を付し、その詳細な説明は省略する。図７は、第４の実施形態に係るＸ線装置を示す断面図である。
【０１１２】
図７に示すように、Ｘ線装置は、回転陽極型のＸ線管装置１０を備えている。図示しないが、Ｘ線装置は、上記冷却器２２、高電圧コネクタ１００及び高電圧コネクタ２００も備えている。
【０１１３】
高電圧供給端子４４は、第１分割部４４ａと、第２分割部４４ｂと、を有している。第１分割部４４ａは、高電圧絶縁部材４０から真空外囲器３１の外側に露出している。第２分割部４４ｂは、第１分割部４４ａに電気的に接続される。この実施形態において、第２分割部４４ｂの側面は、スプリングアクションを利用して第１分割部４４ａと接触している。
【０１１４】
電気絶縁性部材８１は、樹脂で形成され、接着面８１ｓを有し、第２分割部４４ｂと高電圧ケーブル６１との電気的接続部を埋め尽くし、接着面８１ｓから第２分割部４４ｂを外側に露出させている。
【０１１５】
より詳しくは、電気絶縁性部材８１はモールド材で形成されている。電気絶縁性部材８１を形成する際、溶接や半田付けなどを利用し、予め、第２分割部４４ｂ及び高電圧ケーブル６１を電気的に接続しておく。電気絶縁性部材８１の形成がスタートすると、まず、図示しないモールド材槽内部に、第２分割部４４ｂと高電圧ケーブル６１との電気的接続部、及び高電圧ケーブル６１の一部を搬入し、モールド材槽内にモールド材を注入する。その後、注入したモールド材を硬化し、モールド材槽から搬出する。これにより、接着面８１ｓから第２分割部４４ｂを露出させた電気絶縁性部材８１が形成される。
【０１１６】
Ｘ線管装置１０は、接着部材８４をさらに備えている。接着部材８４は、例えばエポキシ系の樹脂で形成され、電気絶縁性部材８１の接着面８１ｓを高電圧絶縁部材４０の外面に接着させている。
【０１１７】
電気絶縁性部材８１及び第２分割部４４ｂは、ケーブルアセンブリ６０の一部を形成している。これにより、ケーブルアセンブリ６０を形成した後、接着部材８４を用いて電気絶縁性部材８１の接着面８１ｓを高電圧絶縁部材４０の外面に接着させることができる。
【０１１８】
高電圧供給端子５４は、第１分割部５４ａと、第２分割部５４ｂと、を有している。第１分割部５４ａは、高電圧絶縁部材５０から真空外囲器３１の外側に露出している。第２分割部５４ｂは、第１分割部５４ａに電気的に接続される。この実施形態において、第２分割部５４ｂの側面は、スプリングアクションを利用して第１分割部５４ａと接触している。
【０１１９】
電気絶縁性部材９１は、樹脂で形成され、接着面９１ｓを有し、第２分割部５４ｂと高電圧ケーブル７１との電気的接続部を埋め尽くし、接着面９１ｓから第２分割部５４ｂを外側に露出させている。
【０１２０】
より詳しくは、電気絶縁性部材９１はモールド材で形成されている。電気絶縁性部材９１は、電気絶縁性部材８１を形成する手法と同一の手法を用いることにより、形成することができる。
【０１２１】
Ｘ線管装置１０は、接着部材９４をさらに備えている。接着部材９４は、例えばエポキシ系の樹脂で形成され、電気絶縁性部材９１の接着面９１ｓを高電圧絶縁部材５０の外面に接着させている。
【０１２２】
電気絶縁性部材９１及び第２分割部５４ｂは、ケーブルアセンブリ７０の一部を形成している。これにより、ケーブルアセンブリ７０を形成した後、接着部材９４を用いて電気絶縁性部材９１の接着面９１ｓを高電圧絶縁部材５０の外面に接着させることができる。
【０１２３】
上記のように構成された第４の実施形態に係るＸ線装置によれば、Ｘ線管装置１０は、Ｘ線管３０と、ハウジング２０と、冷却液７と、高電圧ケーブル６１、７１とを備えている。  
Ｘ線管装置１０の管軸に沿った方向において、Ｘ線管３０と、ハウジング２０との間にリセプタクルを設ける構造ではないため、Ｘ線管装置１０の小型化を図ることができる。
【０１２４】
Ｘ線管装置１０は、電気絶縁性部材８１、９１を備えている。電気絶縁性部材８１は接着部材８４を用いて高電圧絶縁部材４０に接着され、電気絶縁性部材９１は接着部材９４を用いて高電圧絶縁部材５０に接着されている。高電圧絶縁部材４０に向けて電気絶縁性部材８１に圧力をかける構造や、高電圧絶縁部材５０に向けて電気絶縁性部材９１に圧力をかける構造ではないため、電気絶縁性部材８１や電気絶縁性部材９１が熱の影響を受けても良好な絶縁性を保持することができる。Ｘ線管装置１０は、長期にわたって高い信頼性を得ることができる。
【０１２５】
第２分割部４４ｂと高電圧ケーブル６１との電気的接続部を覆った電気絶縁性部材８１は、冷却液７に取り囲まれ冷却液７により直接冷却される。このため、陽極ターゲット３５から高電圧供給端子４４と高電圧ケーブル６１との電気的接続部に伝達される熱を冷却液７に放出することができる。
【０１２６】
第２分割部５４ｂと高電圧ケーブル７１との電気的接続部を覆った電気絶縁性部材９１は、冷却液７に取り囲まれ冷却液７により直接冷却される。このため、陰極３６から高電圧供給端子５４と高電圧ケーブル７１との電気的接続部に伝達される熱を冷却液７に放出することができる。
【０１２７】
電気絶縁性部材８１は第２分割部４４ｂ（高電圧供給端子４４）と高電圧ケーブル６１との電気的接続部を埋め尽くし、電気絶縁性部材９１は第２分割部５４ｂ（高電圧供給端子５４）と高電圧ケーブル７１との電気的接続部を埋め尽くしている。
【０１２８】
電気絶縁性部材８１、９１は、セラミクスより安価な樹脂を使用して形成することができる。  
このため、上記第１の実施形態に係るＸ線装置と同様の効果を得ることができる。
【０１２９】
溶接や半田付けなどを利用して第２分割部４４ｂ及び高電圧ケーブル６１をしっかりと接続した後に、電気絶縁性部材８１はモールド成型される。同様に溶接や半田付けなどを利用して第２分割部５４ｂ及び高電圧ケーブル７１をしっかりと接続した後に、電気絶縁性部材９１はモールド成型される。このため、信頼性の高いケーブルアセンブリ６０、７０を得ることができる。  
上記のことから、小型化を図ることができ、長期にわたって高い信頼性を得ることができるＸ線管装置１０及びＸ線管装置を備えたＸ線装置を得ることができる。
【０１３０】
次に、第５の実施形態に係るＸ線装置について説明する。この実施形態に係るＸ線装置は、高電圧絶縁部材８２、９２を樹脂を利用して形成した以外、第３の実施形態に係るＸ線装置と同様に形成されている（図５参照）。より詳しくは、高電圧絶縁部材８２、９２はモールド材で形成されている。
【０１３１】
上記のように構成された第５の実施形態に係るＸ線装置によれば、上記第３の実施形態に係るＸ線装置と同様の効果を得ることができる。  
高電圧絶縁部材８２、９２は、セラミクスより安価な樹脂を使用して形成することができる。
【０１３２】
Ｘ線管３０及び高電圧ケーブル６１、７１から独立した状態で、高電圧絶縁部材８２、９２のモールド成型などを行うことができる。このため、第５の実施形態においてモールド成型を行うための装置は、上記第４の実施形態においてモールド成型を行うための装置（特殊な装置）に比べて、一般的で小型なものとすることができる。  
上記のことから、小型化を図ることができ、長期にわたって高い信頼性を得ることができるＸ線管装置１０及びＸ線管装置を備えたＸ線装置を得ることができる。
【０１３３】
次に、第６の実施形態に係るＸ線装置について説明する。この実施形態において、上述した実施形態と同一機能部分には同一符号を付し、その詳細な説明は省略する。図８は、第６の実施形態に係るＸ線装置を示す断面図である。
【０１３４】
図８に示すように、Ｘ線装置は、回転陽極型のＸ線管装置１０を備えている。図示しないが、Ｘ線装置は、上記冷却器２２、高電圧コネクタ１００及び高電圧コネクタ２００も備えている。
【０１３５】
電気絶縁性部材８１は、桶状に形成され、高電圧絶縁部材４０に間隔を置いて位置している。電気絶縁性部材８１には貫通孔が形成され、上記貫通孔を高電圧ケーブル６１が通っている。高電圧ケーブル６１は、接着部材を用いて電気絶縁性部材８１の貫通孔に固定されている。
【０１３６】
電気絶縁性部材９１は、桶状に形成され、高電圧絶縁部材５０に間隔を置いて位置している。電気絶縁性部材９１には貫通孔が形成され、上記貫通孔を高電圧ケーブル７１が通っている。高電圧ケーブル７１は、接着部材を用いて電気絶縁性部材９１の貫通孔に固定されている。
【０１３７】
冷却液７は、電気絶縁性部材８１及び高電圧絶縁部材４０間と、電気絶縁性部材９１及び高電圧絶縁部材５０間と、にもそれぞれ介在されている。高電圧供給端子４４と高電圧ケーブル６１との電気的接続部と、高電圧供給端子５４と高電圧ケーブル７１との電気的接続部とは、冷却液７に接するため、冷却液７は、絶縁油である。
【０１３８】
上記のように構成された第６の実施形態に係るＸ線装置によれば、Ｘ線管装置１０は、Ｘ線管３０と、ハウジング２０と、冷却液７と、高電圧ケーブル６１、７１とを備えている。陽極ターゲット３５に電気的に接続された高電圧供給端子４４は、高電圧絶縁部材４０から真空外囲器３１の外側に露出している。陰極３６に電気的に接続された高電圧供給端子５４は、高電圧絶縁部材５０から真空外囲器３１の外側に露出している。
【０１３９】
高電圧ケーブル６１は、一端部が高電圧供給端子４４に電気的に接続され、他端部がハウジング２０の外側に位置している。高電圧ケーブル７１は、一端部が高電圧供給端子５４に電気的に接続され、他端部がハウジング２０の外側に位置している。Ｘ線管装置１０の管軸に沿った方向において、Ｘ線管３０と、ハウジング２０との間にリセプタクルを設ける構造ではないため、Ｘ線管装置１０の小型化を図ることができる。
【０１４０】
冷却液７は絶縁油である。面圧式のコネクタを利用すること無しに、高電圧ケーブル６１は高電圧供給端子４４に接続され、高電圧ケーブル７１は高電圧供給端子５４に接続されている。このため、Ｘ線管装置１０は、長期にわたって高い信頼性を得ることができる。
【０１４１】
ハウジング２０内において、高電圧ケーブル６１は、冷却液７に浸っているため、陽極ターゲット３５から高電圧ケーブル６１に伝達される熱を冷却液７に放出することができる。高電圧供給端子４４と高電圧ケーブル６１との電気的接続部や、電気絶縁性部材８１は、冷却液７に取り囲まれ冷却液７により直接冷却される。このため、陽極ターゲット３５から高電圧供給端子４４と高電圧ケーブル６１との電気的接続部に伝達される熱を冷却液７に放出することができる。
【０１４２】
陽極ターゲット３５から高電圧ケーブル６１の他端部に伝達される熱の量を低減できる。高電圧コネクタ６２の電気絶縁部材６４の表面の変形を抑制することができるため、高電圧コネクタ６２と、高電圧コネクタ１００との密着性を維持することができ、良好な絶縁性を保持することができる。
【０１４３】
ハウジング２０内において、高電圧ケーブル７１は、冷却液７に浸っているため、陰極３６から高電圧ケーブル７１に伝達される熱を冷却液７に放出することができる。高電圧供給端子５４と高電圧ケーブル７１との電気的接続部や、電気絶縁性部材９１は、冷却液７に取り囲まれ冷却液７により直接冷却される。このため、陰極３６から高電圧供給端子５４と高電圧ケーブル７１との電気的接続部に伝達される熱を冷却液７に放出することができる。
【０１４４】
陰極３６から高電圧ケーブル７１の他端部に伝達される熱の量を低減できる。高電圧コネクタ７２の電気絶縁部材７４の表面の変形を抑制することができるため、高電圧コネクタ７２と、高電圧コネクタ２００との密着性を維持することができ、良好な絶縁性を保持することができる。
【０１４５】
電気絶縁性部材８１、９１は、セラミクスより安価な樹脂を使用して形成することができる。なお、高電圧供給端子４４とハウジング２０との電気絶縁性や、高電圧供給端子５４とハウジング２０との電気絶縁性が絶縁油により保たれている場合は、電気絶縁性部材８１、９１を必ずしも設ける必要はない。
【０１４６】
溶接や半田付けなどを利用して高電圧供給端子４４及び高電圧ケーブル６１はしっかりと接続され、同様に溶接や半田付けなどを利用して高電圧供給端子５４及び高電圧ケーブル７１はしっかりと接続されている。電気絶縁性部材８１は高電圧供給端子４４と高電圧ケーブル６１との電気的接続部を埋め尽くすこと無しに形成され、同様に電気絶縁性部材９１は高電圧供給端子５４と高電圧ケーブル７１との電気的接続部を埋め尽くすこと無しに形成されている。このため、電気的接続部の信頼性の向上を図ることができる。  
上記のことから、小型化を図ることができ、長期にわたって高い信頼性を得ることができるＸ線管装置１０及びＸ線管装置を備えたＸ線装置を得ることができる。
【０１４７】
次に、第７の実施形態に係るＸ線装置について説明する。この実施形態において、上述した実施形態と同一機能部分には同一符号を付し、その詳細な説明は省略する。図９は、第７の実施形態に係るＸ線装置を示す断面図である。
【０１４８】
図９に示すように、Ｘ線装置は、回転陽極型のＸ線管装置１０を備えている。図示しないが、Ｘ線装置は、上記冷却器２２、高電圧コネクタ１００及び高電圧コネクタ２００も備えている。この実施例においてＸ線管３０はセラミクスからなる陰極側の高電圧部材５０を有している。真空容器３２はガラスで形成されており、陽極側の高電圧部材としての機能を有している。ホルダー部材６はエポキシ樹脂のような電気絶縁性材料で形成されている。ホルダー部材６は有底円筒状の形状をしており、その底部には高電圧供給端子４４が固定され、またその側面部にステータコイル９１０が固定されている。ステータコイルを介して、Ｘ線管３０はハウジングに固定支持されている。
【０１４９】
ハウジング２０は、筒状に形成されたハウジング本体２０ｅと、蓋部２０ｆ、２０ｇ、２０ｈとを有している。  
高電圧供給端子４４が位置する側のハウジング本体２０ｅの開口部には、枠状の段差部が形成されている。上記段差部の内周面には、枠状の溝部が形成されている。管軸に沿った方向において、蓋部２０ｆの周縁部はハウジング本体２０ｅの段差部に接触している。ハウジング本体２０ｅの上記溝部にはＣ止め輪２０ｉが嵌合されている。
【０１５０】
Ｃ止め輪２０ｉは、管軸に沿った方向における、ハウジング本体２０ｅに対する蓋部２０ｆの位置を規制している。この実施形態において、蓋部２０ｆのがたつきを防止するため、蓋部２０ｆの位置は固定されている。管軸に直交した方向において、ハウジング本体２０ｅと蓋部２０ｆとの間の隙間は、枠状のＯリングにより液密にシールされている。上記Ｏリングは、ハウジング２０外部への冷却液７の漏れを防止する機能を有している。上記Ｏリングは、樹脂やゴムで形成されている。  
上記のことから、高電圧供給端子４４が位置する側のハウジング本体２０ｅの開口部は、蓋部２０ｆ、Ｃ止め輪２０ｉ及びＯリングにより液密に閉塞されている。
【０１５１】
高電圧供給端子５４が位置する側のハウジング本体２０ｅの開口部には、枠状の段差部が形成されている。上記段差部の内周面には、枠状の溝部が形成されている。蓋部２０ｇはハウジング本体２０ｅの内部に位置している。
【０１５２】
管軸に沿った方向において、蓋部２０ｇの周縁部はハウジング本体２０ｅの段差部とともに後述するＸ線遮蔽体５１０を挟んでいる。なお、後述するＸ線遮蔽体５１０とＸ線遮蔽体５２０との間からハウジング２０外部へのＸ線の漏洩が無ければ、蓋部２０ｇの周縁部がハウジング本体２０ｅの段差部に接触していてもよい。蓋部２０ｈは蓋部２０ｇに対向している。この実施形態において、蓋部２０ｈは円環部を有し、円環部は蓋部２０ｇ側に突出して形成されている。
【０１５３】
ハウジング本体２０ｅの上記内周面及び蓋部２０ｇ、並びに蓋部２０ｈの隙間は、枠状のＯリングにより液密にシールされている。上記Ｏリングは、ゴムベローズ２１の周縁部で形成され、ハウジング２０外部への冷却液７の漏れを防止する機能を有している。
【０１５４】
ハウジング本体２０ｅの上記溝部にはＣ止め輪２０ｊが嵌合されている。Ｃ止め輪２０ｊは、蓋部２０ｈがＯリングへ応力を加えている状態を保持している。上記のことから、高電圧供給端子５４が位置する側のハウジング本体２０ｅの開口部は、蓋部２０ｇ、蓋部２０ｈ、Ｃ止め輪２０ｊ及びゴムベローズ２１により液密に閉塞されている。
【０１５５】
図示しないが、ハウジング２０は、Ｘ線放射窓２０ｗ、開口２０ｏ１及び開口２０ｏ２を有している。この実施形態において、ハウジング２０の内面に、鉛板は貼り付けられていない。
【０１５６】
蓋部２０ｇは、冷却液７が出入りする開口部２０ｋを有している。蓋部２０ｈは、雰囲気としての空気が出入りする通気孔２０ｍが形成されている。ゴムベローズ２１は、ハウジング本体２０ｅ内において、蓋部２０ｇ及び蓋部２０ｈで囲まれた領域を開口部２０ｋと繋がった第１空間及び通気孔２０ｍと繋がった第２空間に区切っている。
【０１５７】
Ｘ線管３０は、陽極ターゲット３５、陰極３６、真空外囲器３１、高電圧供給端子４４及び高電圧供給端子５４などを備えている。真空外囲器３１は、真空容器３２及び高電圧絶縁部材５０等を備えている。この実施形態において、真空容器３２はガラスで形成され、Ｘ線放射窓３３を有している。
【０１５８】
Ｘ線管３０の固定体１は、真空容器３２及びホルダー部材６に固定されている。この実施形態において、固定体１の先端部は高電圧供給端子４４として機能している。高電圧絶縁部材６は、一端が円錐形をし、他端が閉塞した管状に形成されている。高電圧絶縁部材６は、固定体１と、ハウジング２０及びステータコイル９１０との間を電気的に絶縁するものである。
【０１５９】
また、ターゲット層３５ａと管軸に沿った方向に対向したハウジング２０の一端側にＸ線遮蔽部５１０が設けられている。Ｘ線遮蔽部５１０は、ターゲット層３５ａから放射されるＸ線を遮蔽するものである。Ｘ線遮蔽部５１０は、Ｘ線不透過材を含む材料で形成されている。Ｘ線遮蔽部５１０は、第１遮蔽部５１１及び第２遮蔽部５１２を有している。
【０１６０】
第１遮蔽部５１１は、ターゲット層３５ａと管軸に沿った方向に対向した側の蓋部２０ｇに貼り付けられている。第１遮蔽部５１１は、蓋部２０ｇ全体を覆っている。第１遮蔽部５１１は、開口部２０ｋと対向した個所が開口して形成され、開口部２０ｋによる冷却液７の出入りを維持している。第２遮蔽部５１２は、第１遮蔽部５１１上に設けられている。第２遮蔽部５１２は、開口部２０ｋ付近からハウジング２０の外部に出射する恐れのあるＸ線を遮蔽するものである。
【０１６１】
Ｘ線遮蔽体５２０は円筒状に形成されている。Ｘ線遮蔽体５２０の一端部は、第１遮蔽部５１１に近接している。このため、Ｘ線遮蔽体５１０及びＸ線遮蔽部５２０間の隙間から出射する恐れのあるＸ線を遮蔽することができる。
【０１６２】
Ｘ線遮蔽体５２０は、管軸に沿って第１遮蔽部５１１から陽極ターゲット３５（ターゲット層３５ａの表面の延長線上）を越える位置まで延出している。この実施形態において、Ｘ線遮蔽体５２０は、第１遮蔽部５１１からステータコイル９１０の手前まで延出している。Ｘ線遮蔽体５２０は、管軸に直交した方向において、それぞれ真空容器３２及びハウジング本体２０ｅに隙間を置いて設けられている。
【０１６３】
Ｘ線遮蔽体５２０は、真空外囲器３１及びハウジング２０の少なくとも一方に固定されている。ここでは、Ｘ線遮蔽体５２０は、ハウジング本体２０ｅの内壁に形成された突出部に固定されている。また、Ｘ線遮蔽体５２０は、絶縁部材８により真空外囲器３１に固定されている。
【０１６４】
Ｘ線遮蔽体５２０は、Ｘ線遮蔽部５１０とともに高電圧ケーブル７１が通る通路を形成している。なお、上記通路からハウジング２０の外部へのＸ線漏洩を防止するため、上記通路は隘路であることが好ましい。図示しないが、Ｘ線遮蔽体５２０は、Ｘ線を透過させるＸ線透過窓を有している。Ｘ線透過窓はＸ線放射窓２０ｗと対向している。ここでは、Ｘ線透過窓は、Ｘ線遮蔽体５２０の一部を開口した開口部である。
【０１６５】
Ｘ線遮蔽体５２０は、Ｘ線不透過材を含む材料で形成されている。Ｘ線遮蔽体５２０の厚みは、１乃至５ｍｍである。ここで、Ｘ線遮蔽体５２０の厚みは、それぞれ内周面と外周面との最短距離であり、この実施形態では管軸に垂直な方向における内周面と外周面との距離である。また管軸に垂直な方向において、真空容器３２及びハウジング２０間の隙間は、３乃至１２ｍｍである。この実施形態において、真空容器３２及びハウジング２０間の隙間は、８ｍｍである。
【０１６６】
Ｘ線遮蔽体５２０は、例えばアンチモンなどを鉛に添加した硬質鉛から作ることができる。好ましくはＳＵＳなどからなる円筒状部品の外側にＸ線不透過材を巻きつけてＸ線遮蔽体５２０を形成することが好ましい。
【０１６７】
Ｘ線遮蔽体５１０、５２０に利用するＸ線不透過材としては、少なくとも、タングステン、タンタル、モリブデン、バリウム、ビスマス、希土類金属及び鉛の何れか１つからなる金属、又はタングステン、タンタル、モリブデン、バリウム、ビスマス、希土類金属及び鉛の化合物の少なくとも１つを主材料などとして利用することができる。Ｘ線遮蔽体５１０、５２０の表面は、防食保護のため、錫、銀、銅、ニッケルなどの金属メッキや樹脂コーティングを形成しても良い。
【０１６８】
Ｘ線遮蔽体５２０がある程度の強度と延性を有する場合、Ｘ線遮蔽体５２０は防護体として機能することができる。陽極ターゲット３５が高速回転中に破損した場合、高い運動エネルギを有した陽極ターゲット３５の破片は、ガラスで形成された真空容器３２を破壊し、更にハウジング２０の内面に向かって飛散する。Ｘ線遮蔽体５２０は、高い運動エネルギを有した状態で飛散する陽極ターゲット３５の破片のハウジング２０への衝突を防護する。
【０１６９】
Ｘ線遮蔽体５２０に陽極ターゲット３５の破片が衝突しても、Ｘ線遮蔽体５２０は十分な変形を起こすことにより運動エネルギを吸収することができる。Ｘ線遮蔽体５２０及びハウジング２０は、隙間を置いて位置しているため、Ｘ線遮蔽体５２０に変形が生じてもハウジング２０自体の変形を防止できる。これにより、ハウジング２０に生じる恐れのあった亀裂を防止することができる。
【０１７０】
図９及び図１０に示すように、Ｘ線管装置１０は、ケーブルグランド６００、７００を備えている。ケーブルグランド６００は、グランド本体６２０と、シールナット６３０と、シール部材６４０と、クランプリング６５０と、を具備している。
【０１７１】
グランド本体６２０は、高電圧ケーブル６１が貫通する第１貫通孔６２１を有している。ここでは、第１貫通孔６２１は、開口２０ｏ１を通ってハウジング２０の内部及び外部に開口している。グランド本体６２０は、外周面に雄ネジ６２３、６２４を切って形成されている。
【０１７２】
シールナット６３０は、高電圧ケーブル６１が貫通する第２貫通孔６３１を有している。シールナット６３０は、内周面に雌ネジを切って形成されている。シールナット６３０をグランド本体６２０の雄ネジ６２３に締め付けることにより、シールナット６３０はグランド本体６２０に螺合される。
【０１７３】
シール部材６４０は、高電圧ケーブル６１が貫通する少なくとも１つの第３貫通孔６４１を有している。ここでは、シール部材６４０は、１つの第３貫通孔６４１を有している。シール部材６４０は、グランド本体６２０の第１貫通孔６２１に配置される。
【０１７４】
クランプリング６５０は、グランド本体６２０及びシール部材６４０の間に配置されている。クランプリング６５０は、シールナット６３０による押圧を均一にシール部材６４０に伝達させるものである。これにより、シール部材６４０は、冷却液７の漏洩を防止することができる。
【０１７５】
上記グランド本体６２０は、ハウジング２０に液密に取り付けられている。ここでは、グランド本体６２０は、取り付け面６２２をさらに有している。取り付け面６２２は、ハウジング２０に液密に取り付けられる側の面である。  
ケーブルグランド６００は、さらにシール部材（ワッシャ）６６０及びロックナット６７０を具備している。ロックナット６７０は、内周面に雌ネジを切って形成されている。
【０１７６】
グランド本体６２０をハウジング１１に液密に取り付ける際、グランド本体６２０の雄ネジ６２４にシール部材６６０を通した後、ハウジング本体２０ｅの外側から雄ネジ６２４を開口２０ｏ１に挿入する。続いて、ハウジング本体２０ｅの内側からロックナット６７０をグランド本体６２０の雄ネジ６２４に締め付ける。これにより、グランド本体６２０はハウジング２０に液密に取り付けられるため、グランド本体６２０及びハウジング２０の間からの冷却液７の漏洩を防止することができる。
【０１７７】
上記のように、ケーブルグランド６００は、高電圧ケーブル６１を通し、ハウジング２０内を液密にシールするものである。ケーブルグランド６００は、ハウジング２０外部への冷却液７の漏洩を防止することができる。
【０１７８】
ケーブルグランド７００は、ケーブルグランド６００と同様に形成されている。ケーブルグランド７００は、開口２０ｏ２を液密に閉塞するようにハウジング２０に取付けられている。ケーブルグランド７００は、高電圧ケーブル７１を通し、ハウジング２０内を液密にシールするものである。ケーブルグランド７００は、ハウジング２０外部への冷却液７の漏洩を防止することができる。
【０１７９】
高電圧ケーブル６１は、導線６１ａ、被覆材６１ｂ及び閉塞部材６１ｅを有している。被覆材６１ｂは、導線６１ａを絶縁材で被覆して形成されている。ここでは、被覆材６１ｂは、ＥＰ（エチレンプロピレン）ゴムで形成されている。
【０１８０】
閉塞部材６１ｅは、ハウジング２０の内部に露出する導線６１ａ及び被覆材６１ｂの境界を液密に閉塞している。これにより、導線６１ａ及び被覆材６１ｂの境界を伝って生じるハウジング２０外部への冷却液７の漏洩を抑制することができる。閉塞部材６１ｅは、例えばモールド成型を利用して形成することができる。
【０１８１】
ここで、高電圧ケーブル６１の径方向において、閉塞部材６１ｅは、被覆材６１ｂの外周面を越えないように形成した方が好ましい。これにより、高電圧ケーブル６１をケーブルグランド６００を通すことができなくなることを未然に防止することができる。
【０１８２】
上記のように構成された第７の実施形態に係るＸ線装置によれば、Ｘ線管装置１０は、Ｘ線管３０と、ハウジング２０と、冷却液７と、高電圧ケーブル６１、７１とを備えている。陽極ターゲット３５に電気的に接続された高電圧供給端子４４は、真空外囲器３１の外側に露出している。陰極３６に電気的に接続された高電圧供給端子５４は、高電圧絶縁部材５０から真空外囲器３１の外側に露出している。
【０１８３】
高電圧ケーブル６１は、一端部が高電圧供給端子４４に電気的に接続され、他端部がハウジング２０の外側に位置している。高電圧ケーブル７１は、一端部が高電圧供給端子５４に電気的に接続され、他端部がハウジング２０の外側に位置している。Ｘ線管装置１０の管軸に沿った方向において、Ｘ線管３０と、ハウジング２０との間にリセプタクルを設ける構造ではないため、リセプタクルを設ける構造と比べてＸ線管装置１０の小型化を図ることができる。
【０１８４】
冷却液７は絶縁油である。面圧式のコネクタを利用すること無しに、高電圧ケーブル６１は高電圧供給端子４４に接続され、高電圧ケーブル７１は高電圧供給端子５４に接続されている。このため、Ｘ線管装置１０は、長期にわたって高い信頼性を得ることができる。
【０１８５】
ハウジング２０内において、高電圧ケーブル６１は、冷却液７に浸っているため、陽極ターゲット３５から高電圧ケーブル６１に伝達される熱を冷却液７に放出することができる。
【０１８６】
陽極ターゲット３５から高電圧ケーブル６１の他端部に伝達される熱の量を低減できる。高電圧コネクタ６２の電気絶縁部材６４の表面の変形を抑制することができるため、高電圧コネクタ６２と、高電圧コネクタ１００との密着性を維持することができ、良好な絶縁性を保持することができる。
【０１８７】
ハウジング２０内において、高電圧ケーブル７１は、冷却液７に浸っているため、陰極３６から高電圧ケーブル７１に伝達される熱を冷却液７に放出することができる。
【０１８８】
陰極３６から高電圧ケーブル７１の他端部に伝達される熱の量を低減できる。高電圧コネクタ７２の電気絶縁部材７４の表面の変形を抑制することができるため、高電圧コネクタ７２と、高電圧コネクタ２００との密着性を維持することができ、良好な絶縁性を保持することができる。
【０１８９】
Ｘ線管装置１０は、ケーブルグランド６００、７００を利用している。ケーブルグランド６００、７００を利用することにより、モールド材を利用する場合に比べて、製造コストの低減、組み立ての簡素化及び工数の低減、を図ることができる。
【０１９０】
また、高電圧ケーブル６１と高電圧供給端子４４との接続を解除し、シールナット６３０を緩めることにより、高電圧ケーブル６１をハウジング２０の外に簡単に引き出すことができる。高電圧ケーブル７１についても同様である。高電圧ケーブル６１（７１）の再利用が可能となるため、製造コストのさらなる低減と、環境負荷の低減を図ることができる。ケーブルグランド６００のシール部材６４０よりもハウジング２０の外部に位置する高電圧ケーブル６１には、被覆材６１ｂの外周面を覆うシールド線と、シールド線の外周面を被覆する、電気絶縁材からなる最外周被覆材を更に設けることができる。その場合、シールド線は接地される。接地されたシールド線を被覆材６１ｂの外周面に配置することにより、高電圧ラインからの高周波ノイズの外部放射を防止することができる。
【０１９１】
高電圧ケーブル６１の最外周被覆材には、難燃性や耐久性に優れた塩化物含有樹脂を利用することができる。高電圧ケーブル７１についても同様である。
【０１９２】
Ｘ線遮蔽体５２０は、Ｘ線不透過材を含む材料で形成されている。Ｘ線遮蔽体５２０は、Ｘ線透過窓以外の方向へのＸ線を遮蔽することができるため、例えば、Ｘ線管装置を医療診断機器に搭載した場合、人体への不要な放射（被曝）を防止することができる。
【０１９３】
Ｘ線遮蔽体５２０は、ハウジング２０の外部で形成された後、ハウジング２０の内部に組み込まれている。ハウジング２０の内面に鉛板を貼り付ける必要はなく、上記鉛板を貼り付ける場合に比べて簡単に筒状のＸ線遮蔽体５２０を製造することができるため、製造コストを低減することができる。
【０１９４】
Ｘ線遮蔽体５２０がある程度の強度と延性を有する場合、Ｘ線遮蔽体５２０は防護体として機能することができる。Ｘ線遮蔽体５２０は、陽極ターゲット３５が高速回転中に破損した場合、高い運動エネルギを有した状態で飛散する陽極ターゲット３５の破片のハウジング２０への衝突を防護する。Ｘ線遮蔽体５２０に陽極ターゲット３５の破片が衝突しても、Ｘ線遮蔽体５２０は十分な変形を起こすことにより運動エネルギを吸収することができる。
【０１９５】
また、この実施形態において、ハウジング２０の内面は、リセプタクルを設ける構造と比べてストレートにできる。このため、Ｘ線遮蔽体５２０をハウジング２０の内部へ組込み易くでき、また、Ｘ線遮蔽体５２０をハウジング２０の外部へ取り出し易くできる。
【０１９６】
これにより、ハウジング２０に生じる恐れのあった亀裂を防止することができる。例えば、回転陽極型Ｘ線管装置を医療診断機器に搭載した場合、被検査体（例えば人体）に高温の冷却液７がかかってしまう危険性を排除することができる。  
上記のことから、小型化を図ることができ、長期にわたって高い信頼性を得ることができるＸ線管装置１０及びＸ線管装置を備えたＸ線装置を得ることができる。
【０１９７】
次に、上記第７の実施形態に係るＸ線装置の変形例について説明する。  
例えば、Ｘ線管装置１０は、上記第６の実施形態に係る電気絶縁性部材８１、９１（図８）を備えていてもよい。これにより、高電圧供給端子４４及びハウジング２０間の絶縁性や、高電圧供給端子５４及びハウジング２０間の絶縁性を一層確保することができる。
【０１９８】
冷却液７は、絶縁油に替えて水系冷却液を利用することも可能である。但し、この場合、Ｘ線管装置１０は上記第１乃至第５の実施形態に係る電気絶縁性部材８１、９１（図１乃至図７）を備え、電気絶縁性部材８１、９１は高電圧供給端子４４（５４）と高電圧ケーブル６１（７１）の一端部との電気的接続部を埋め尽くしている。
【０１９９】
電気絶縁性部材８１をモールド成型する場合、高電圧供給端子４４と高電圧ケーブル６１とが電気的に接続され、Ｘ線管３０がハウジング２０内に収容された状態で行われる。電気絶縁性部材９１をモールド成型する場合、高電圧供給端子５４と高電圧ケーブル７１とが電気的に接続され、Ｘ線管３０がハウジング２０内に収容された状態で行われる。
【０２００】
次に、第８の実施形態に係るＸ線装置について説明する。この実施形態において、上述した実施形態と同一機能部分には同一符号を付し、その詳細な説明は省略する。図１２は、第８の実施形態に係るＸ線装置を示す断面図である。
【０２０１】
図１２に示すように、Ｘ線装置は、回転陽極型のＸ線管装置１０を備えている。図示しないが、Ｘ線装置は、上記冷却器２２、高電圧コネクタ１００及び高電圧コネクタ２００も備えている。
【０２０２】
開口２０ｏ１及び開口２０ｏ２は、Ｘ線遮蔽体５１０及びＸ線遮蔽部５２０と対向（近接）した位置から外れてハウジング２０に形成されている。この実施形態において、開口２０ｏ１及び開口２０ｏ２は、蓋部２０ｆに形成されている。ケーブルグランド６００、７００は、蓋部２０ｆに取付けられている。
【０２０３】
高電圧ケーブル６１は、ケーブルグランド６００を通って高電圧供給端子４４に電気的に接続されている。高電圧ケーブル７１は、ケーブルグランド７００を通って高電圧供給端子５４に電気的に接続されている。この実施形態において、ハウジング本体２０ｅの一部は、径方向に突出して形成されている。ハウジング本体２０ｅの突出部と、Ｘ線遮蔽体５２０とは、高電圧ケーブル７１が通る通路（隘路）を形成している。なお、上記通路（高電圧ケーブル７１）がハウジング２０のＸ線放射窓２０ｗ及びＸ線遮蔽体５２０のＸ線透過窓と対向した位置から外れていることは言うまでもない。また、上述した第７の実施形態と同様、Ｘ線遮蔽体５２０は、Ｘ線遮蔽部５１０とともに高電圧ケーブル７１が通る通路を形成している。
【０２０４】
上記のように構成された第８の実施形態に係るＸ線装置によれば、上記第７の実施形態に係るＸ線装置と同様の効果を得ることができる。  
陽極ターゲット３５自体もＸ線遮蔽体として機能するため、高電圧供給端子４４側にＸ線遮蔽体を設けなくともよい。ケーブルグランド６００、７００は、Ｘ線遮蔽体に対向（近接）していないため、ハウジング２０に設け易い。このため、Ｘ線管装置１０の組み立て効率の向上を図ることができる。
【０２０５】
また、この実施形態に係るＸ線管装置１０は、管軸に沿った方向に高電圧ケーブル６１、７１を引き出したい場合に好ましい構成である。  
上記のことから、小型化を図ることができ、長期にわたって高い信頼性を得ることができるＸ線管装置１０及びＸ線管装置を備えたＸ線装置を得ることができる。
【０２０６】
次に、上述した実施形態に係るＸ線装置の比較例１、比較例２について説明する。  
図１３は、上述した実施形態に係るＸ線装置の比較例１を示す断面図である。  
図１３に示すように、比較例１のＸ線管装置１０は、第１の実施形態に係るＸ線管装置１０と異なり、高電圧ケーブル６１、７１及び電気絶縁性部材８１、９１無しに形成されている。高電圧供給端子４４、５４は冷却液７に接するため、冷却液７は絶縁油である。Ｘ線管装置１０は、陽極用のリセプタクル３００及び陰極用のリセプタクル４００を有している。
【０２０７】
管軸に沿った方向において、リセプタクル３００は、Ｘ線管３０（高電圧絶縁部材４０）と、ハウジング２０との間に設けられている。リセプタクル３００は、有底筒状のハウジング３０１と、端子３０２とを有している。ハウジング３０１は、ハウジング２０に気密に取付けられている。ハウジング３０１は、絶縁性の材料として、例えば樹脂で形成されている。端子３０２は、ハウジング３０１内に設けられている。端子３０２は、ケーブルにより高電圧供給端子４４と電気的に接続されている。
【０２０８】
リセプタクル３００及び図示しないプラグは、非面圧式であり、着脱可能に形成されている。プラグをリセプタクル３００に連結した状態で、リセプタクル３００は、高電圧供給端子４４に高電圧（例えば、＋７０〜＋８０ｋＶ）を供給するものである。
【０２０９】
管軸に沿った方向において、リセプタクル４００は、Ｘ線管３０（高電圧絶縁部材５０）と、ハウジング２０との間に設けられている。リセプタクル４００は、有底筒状のハウジング４０１と、端子４０２とを有している。ハウジング４０１は、ハウジング２０に気密に取付けられている。ハウジング４０１は、絶縁性の材料として、例えば樹脂で形成されている。端子４０２は、ハウジング４０１内に設けられている。端子４０２は、ケーブルにより高電圧供給端子５４と電気的に接続されている。
【０２１０】
リセプタクル４００及び図示しない他のプラグは、非面圧式であり、着脱可能に形成されている。プラグをリセプタクル４００に連結した状態で、リセプタクル４００は、高電圧供給端子５４に高電圧（例えば、−７０〜−８０ｋＶ）およびフィラメント電流を供給するものである。
【０２１１】
上記のように構成された比較例１のＸ線装置では、Ｘ線管装置１０はリセプタクルを設ける構造であるため、Ｘ線管装置１０の小型化を図ることはできない。冷却液７に水系冷却液を利用することができない。高電圧供給端子４４、５４は冷却液に接しているが、高電圧供給端子４４、５４に接続されたケーブルはハウジング２０の外側まで延出して形成されておらず、ハウジング２０より高電圧供給端子４４、５４付近に位置した端子３０２、４０２に接続されている。
【０２１２】
図１４は、上述した実施形態に係るＸ線装置の比較例２を示す断面図である。  
図１４に示すように、比較例２のＸ線管装置１０は、第１の実施形態に係るＸ線管装置１０と異なり、ケーブルアセンブリ６０、７０及び電気絶縁性部材８１、９１無しに形成されている。冷却液７としては、水系冷却液や絶縁油を利用することができる。
【０２１３】
ハウジング２０は、筒状に形成されている。高電圧絶縁部材４０の外面は、高電圧供給端子４４とともにハウジング２０の外側に露出している。高電圧絶縁部材５０の外面は、高電圧供給端子５４とともにハウジング２０の外側に露出している。
【０２１４】
高電圧コネクタ１００は、有底筒状のハウジング１０１と、ハウジング１０１内にその先端が挿入されたケーブル１０２と、ハウジング１０１内に充填され、ケーブル１０２の端子をハウジング１０１の開口部側に向けて固定する固定部１０３と、この固定部１０３と高電圧絶縁部材４０の外面との間に挿入されたシリコーン樹脂材製のシリコーンプレート１０４とを備えている。この実施形態において、ケーブル１０２は高電圧ケーブルである。固定部１０３は、電気絶縁性ゴム部である。なお、固定部１０３は、高電圧絶縁部材４０の外面に直接密着されていても良い。高電圧コネクタ１００は、高電圧供給端子４４に高電圧を与えるものである。  
高電圧コネクタ１００をハウジング２０に取り付ける際に、シリコーンプレート１０４が、それぞれ固定部１０３と、高電圧絶縁部材４０の外面とに密着するように押圧する。
【０２１５】
高電圧コネクタ２００は、有底筒状のハウジング２０１と、ハウジング２０１内にその先端が挿入されたケーブル２０２と、ハウジング２０１内に充填され、ケーブル２０２の端子をハウジング２０１の開口部側に向けて固定する固定部２０３と、この固定部２０３と高電圧絶縁部材５０の外面との間に挿入されたシリコーン樹脂材製のシリコーンプレート２０４とを備えている。この実施形態において、ケーブル２０２は高電圧ケーブルである。固定部２０３は、電気絶縁性ゴム部である。なお、固定部２０３は、高電圧絶縁部材５０の外面に直接密着されていても良い。高電圧コネクタ２００は、高電圧供給端子５４に高電圧を与えるものである。  
高電圧コネクタ２００をハウジング２０に取り付ける際に、シリコーンプレート２０４が、それぞれ固定部２０３と、高電圧絶縁部材５０の外面とに密着するように押圧する。
【０２１６】
上記のように構成された比較例２のＸ線装置では、高電圧供給端子４４、５４は冷却液に接しておらず、高電圧コネクタ１００、２００に直接接続されている。陽極ターゲット３５から高電圧供給端子４４に伝達される熱や、陰極３６から高電圧供給端子５４に伝達される熱を冷却液７に十分に伝達することができないため、Ｘ線管に生じる熱の放射性を向上できない問題がある。
【０２１７】
Ｘ線管に生じる熱は、高電圧コネクタ１００、２００に伝達される。  
すると、高電圧コネクタ１００の固定部（電気絶縁性ゴム部）１０３及びシリコーンプレート１０４が許容温度を越えて過熱され、高電圧コネクタ１００及び高電圧絶縁部材４０間の密着性が低下してしまう恐れがある。すると、高電圧コネクタ１００及び高電圧絶縁部材４０間の密着界面に沿った放電が比較的早期に発生してしまう。
【０２１８】
また、高電圧コネクタ２００の固定部（電気絶縁性ゴム部）２０３及びシリコーンプレート２０４が許容温度を越えて過熱され変形し、高電圧コネクタ２００及び高電圧絶縁部材５０間の密着性が低下してしまう恐れがある。すると、高電圧コネクタ２００及び高電圧絶縁部材５０間の密着界面に沿った放電が比較的早期に発生してしまう。  
このため、長期にわたって高い信頼性を得ることができない問題もある。
【０２１９】
以上、比較例として図１４に示すような平面型の面圧式コネクタを使用した場合について説明したが、平面型に限らず、押圧面がテーパ状の凹面や凸面である場合にも同様の問題がある。
【０２２０】
なお、この発明は上記実施の形態そのままに限定されるものではなく、実施段階ではその要旨を逸脱しない範囲で構成要素を変形して具体化可能である。また、上記実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０２２１】
例えば、ハウジング２０の形状は上述した例に限定されるものではなく種々変形可能であり、また複数の部材を組合わせて形成されていてもよい。
【０２２２】
Ｘ線管装置１０は、陽極ターゲット３５及び陰極３６にそれぞれ高電圧を印加する中性点接地型に限定されるものではなく、種々変形可能である。例えば、陽極接地型のＸ線管装置１０の場合、陰極３６側においてのみ上述した高電圧絶縁構造を採用すればよい。また、陰極接地型のＸ線管装置１０の場合、陽極ターゲット３５側においてのみ上述した高電圧絶縁構造及び冷却構造を採用すればよい。
【０２２３】
高電圧コネクタ６２の押圧面（電気絶縁部材６４の外面）や、高電圧コネクタ７２の押圧面（電気絶縁部材７４の外面）は、テーパ状の凸面に限定されるものではなく種々変形可能であり、テーパ状の凹面としたり、平面としたりしてもよい。また、高電圧コネクタ６２、７２は、面圧式ではないコンベンショナルなリセプタクルを使用することも可能である。
【０２２４】
ハウジング２０中の冷却液７を水系冷却液とするために必要な周辺技術は、次の特許文献に開示されており、実際のＸ線管に上述した本発明の実施形態を適用する上でこれらの周辺技術を併用することが有効である。
【０２２５】
米国特許第７２０３２８０号明細書（モールド関係）
米国特許第７２０６３８０号明細書（冷却液関係）
米国特許出願公開第１１／４０１３００号明細書（コーティング関係）
上記高電圧絶縁部材としては、アルミナを使用することができるが、窒化アルミニウムやべリリアなど、アルミナよりも熱伝導率が大きいセラミクスを使えばより効果が高くなるものである。
【０２２６】
モールド材や電気絶縁性部材としては、エポキシ樹脂やポリウレタン樹脂などを使用することができるが、熱伝導率をより高くするため、アルミナや窒化アルミニウムなどの熱伝導率の高い絶縁材料の微粉を混合することが好ましい。
【０２２７】
この発明は、上記Ｘ線管装置１０及びＸ線装置に限らず、各種Ｘ線管装置及びＸ線装置に適用することができる。Ｘ線管装置は、回転陽極型のＸ線管装置に限らず、固定陽極型のＸ線管装置であってもよい。
以下に、本願出願の当初の特許請求の範囲に記載された発明を付記する。
［１］一部が高電圧絶縁部材で形成された真空外囲器と、前記真空外囲器内に設けられた陽極ターゲットと、前記真空外囲器内に設けられて前記陽極ターゲットに照射する電子を放出する陰極と、前記高電圧絶縁部材から前記真空外囲器の外側に露出し、前記陽極ターゲット及び陰極の一方に電気的に接続された高電圧供給端子と、を有するＸ線管と、
開口を有し、前記Ｘ線管を収納したハウジングと、
前記Ｘ線管と前記ハウジングとの間の空間に充填された冷却液と、
一端部が前記高電圧供給端子に電気的に接続され、他端部が前記空間及び開口を通って前記ハウジングの外側に位置し、前記高電圧供給端子に高電圧を与える高電圧ケーブルと、を備えていることを特徴とするＸ線管装置。
［２］前記高電圧供給端子と前記高電圧ケーブルとの電気的接続部を覆い、前記冷却液により直接または間接的に冷却される電気絶縁性部材をさらに備えていることを特徴とする［１］に記載のＸ線管装置。
［３］前記高電圧ケーブルの他端部に設けられた高電圧コネクタをさらに備えていることを特徴とする［１］に記載のＸ線管装置。
［４］前記電気絶縁性部材は、モールド材で形成され、前記電気的接続部を埋め尽くし、前記高電圧絶縁部材の外面に直に接着されていることを特徴とする［１］に記載のＸ線管装置。
［５］前記高電圧絶縁部材は、前記真空外囲器の外側に開口しているとともに前記高電圧供給端子が露出する穴部を有し、
前記高電圧ケーブルの一端部は、前記穴部を通って前記高電圧供給端子に電気的に接続され、
前記電気絶縁性部材は、前記穴部に充填され、前記電気的接続部を埋め尽くしていることを特徴とする［１］に記載のＸ線管装置。
［６］接着面を有した他の高電圧絶縁部材と、
前記他の高電圧絶縁部材の接着面を前記高電圧絶縁部材の外面に接着させる接着部材と、をさらに備え、
前記高電圧供給端子は、前記高電圧絶縁部材から外側に露出する第１分割部と、前記他の高電圧絶縁部材に設けられ前記第１分割部に電気的に接続される第２分割部と、を有し、
前記他の高電圧絶縁部材は、前記接着面から外れた位置に開口しているとともに前記第２分割部が露出する穴部を有し、
前記高電圧ケーブルの一端部は、前記穴部を通って前記第２分割部に電気的に接続され、
前記電気絶縁性部材は、前記穴部に充填され、前記電気的接続部を埋め尽くしていることを特徴とする［１］に記載のＸ線管装置。
［７］前記他の高電圧絶縁部材は、電気絶縁性樹脂で形成されていることを特徴とする［６］に記載のＸ線管装置。
［８］前記他の高電圧絶縁部材は、モールド材で形成されていることを特徴とする［６］に記載のＸ線管装置。
［９］接着部材をさらに備え、
前記高電圧供給端子は、前記高電圧絶縁部材から外側に露出する第１分割部と、前記第１分割部に電気的に接続される第２分割部と、を有し、
前記電気絶縁性部材は、モールド材で形成され、接着面を有し、前記第２分割部及び高電圧ケーブルの電気的接続部を埋め尽くし、前記第２分割部を外側に露出させ、
前記接着部材は、前記電気絶縁性部材の接着面を前記高電圧絶縁部材の外面に接着させていることを特徴とする［１］に記載のＸ線管装置。
［１０］ケーブルグランドをさらに備え、
前記ケーブルグランドは、
前記ハウジングに液密に取り付けられ、前記開口を通って又は前記開口と対向して前記ハウジングの内部及び外部に開口し、前記ケーブルが貫通する第１貫通孔を有したグランド本体と、
前記ケーブルが貫通する第２貫通孔を有し、前記グランド本体に螺合されるシールナットと、
前記ケーブルが貫通する第３貫通孔を有し、前記グランド本体の第１貫通孔に配置されるシール部材と、
前記グランド本体の前記第１貫通孔と前記シール部材との間に配置され、前記シールナットによる押圧を均一に前記シール部材に伝達させるクランプリングと、を具備していることを特徴とする［１］に記載のＸ線管装置。
［１１］前記高電圧ケーブルは、導線と、前記導線を絶縁材で被覆して形成された被覆材と、前記ハウジングの内部に露出する前記導線及び被覆材の境界を液密に閉塞した閉塞部材と、を有していることを特徴とする［１］に記載のＸ線管装置。
［１２］前記電気絶縁性部材は、前記高電圧絶縁部材に間隔を置いて位置し、
前記冷却液は、絶縁油であり、前記電気絶縁性部材及び高電圧絶縁部材間に介在されていることを特徴とする［１］に記載のＸ線管装置。
［１３］前記冷却液は、水系冷却液であることを特徴とする［４］乃至［９］の何れか１に記載のＸ線管装置。
［１４］前記ハウジングに連結され、前記冷却液の流れを前記ハウジング内に作り出す冷却液循環ポンプをさらに備えていることを特徴とする［１］乃至［１３］の何れか１に記載のＸ線管装置。
［１５］前記ハウジング及び冷却液循環ポンプ間に連結され、前記冷却液の熱を外部に放出する熱交換器をさらに備えていることを特徴とする［１４］に記載のＸ線管装置。
［１６］一部が第１高電圧絶縁部材及び第２高電圧絶縁部材で形成された真空外囲器と、前記真空外囲器内に設けられた陽極ターゲットと、前記真空外囲器内に設けられて前記陽極ターゲットに照射する電子を放出する陰極と、前記第１高電圧絶縁部材から前記真空外囲器の外側に露出し前記陽極ターゲットに電気的に接続された第１高電圧供給端子と、前記第２高電圧絶縁部材から前記真空外囲器の外側に露出し前記陰極に電気的に接続された第２高電圧供給端子と、を有するＸ線管と、
第１開口及び第２開口を有し、前記Ｘ線管を収納したハウジングと、
前記Ｘ線管と前記ハウジングとの間の空間に充填された冷却液と、
一端部が前記第１高電圧供給端子に電気的に接続され、他端部が前記空間及び第１開口を通って前記ハウジングの外側に位置し、前記第１高電圧供給端子に高電圧を与える第１高電圧ケーブルと、
一端部が前記第２高電圧供給端子に電気的に接続され、他端部が前記空間及び第２開口を通って前記ハウジングの外側に位置し、前記第２高電圧供給端子に高電圧を与える第２高電圧ケーブルと、を備えていることを特徴とするＸ線管装置。
【符号の説明】
【０２２８】
１…固定体、２…回転体、６…ホルダー部材、７…冷却液、１０…Ｘ線管装置、２０…ハウジング、２０ｏ１，２０ｏ２…開口、２２…冷却器、２３…冷却液循環ポンプ、２４…熱交換器、３０…Ｘ線管、３１…真空外囲器、３５…陽極ターゲット、３６…陰極、４０，５０…高電圧絶縁部材、４１，４２，５１，５２…穴部、４４，５４…高電圧供給端子、４４ａ，５４ａ…第１分割部、４４ｂ，５４ｂ…第２分割部、６０，７０…ケーブルアセンブリ、６１，７１…高電圧ケーブル、６１ａ…導線、６１ｂ…被覆材、６１ｃ…シールド線、６１ｄ…最外周被覆材、６１ｅ…閉塞部材、６２，７２…高電圧コネクタ、８１，９１…電気絶縁性部材、８１ｓ，９１ｓ…接着面、８２，９２…高電圧絶縁部材、８２ｓ，９２ｓ…接着面、８３，９３…穴部、８４，９４…接着部材、１００，２００…高電圧コネクタ、１０１，２０１…ハウジング、１０２，２０２…ケーブル、１０３，２０３…固定部、５１０，５２０…Ｘ線遮蔽体、６００，７００…ケーブルグランド、６２０…グランド本体、６２１…第１貫通孔、６２２…取り付け面、６３０…シールナット、６３１…第２貫通孔、６４０…シール部材、６４１…第３貫通孔、６５０…クランプリング、６６０…シール部材、６７０…ロックナット。
【図１】
0005931500.tif 000002
【図２】
0005931500.tif 000003
【図３】
0005931500.tif 000004
【図４】
0005931500.tif 000005
【図５】
0005931500.tif 000006
【図６】
0005931500.tif 000007
【図７】
0005931500.tif 000008
【図８】
0005931500.tif 000009
【図９】
0005931500.tif 000010
【図１０】
0005931500.tif 000011
【図１１】
0005931500.tif 000012
【図１２】
0005931500.tif 000013
【図１３】
0005931500.tif 000014
【図１４】
0005931500.tif 000015